(57)【要約】  複数の記録層を有する光ディスクに対し、半径位置に応じた記録速度で記録データを記録する光ディスク記録処理は、前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定処理を備え、前記使用パターン選定処理によって選定された使用パターンに従って前記記録データの記録を行う。
2010041357.tif 000002
【特許請求の範囲】
【請求項１】
複数の記録層を有する光ディスクに対し、半径位置に応じた記録速度で記録データを記録する光ディスク記録方法において、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定ステップを備え、
前記使用パターン選定ステップによって選定された使用パターンに従って前記記録データの記録を行うことを特徴とする光ディスク記録方法。
【請求項２】
請求項１の光ディスク記録方法において、
前記使用パターン選定ステップは、
ｎ個（ｎは自然数）の記録層を使用する第１の使用パターン、及び（ｎ＋１）個の記録層を使用する第２の使用パターンのうちのいずれかを、前記所定条件に基づいて選択する選択動作を行うものであり、
前記光ディスクの記録層数ｍが３以上であるとき、ｎを１から順に１つずつ大きくしてｎ＝ｍ−１まで前記選択動作を繰り返す繰り返し動作を開始し、
当該繰り返し動作中の全ての選択動作において第２の使用パターンを選択した場合には、ｍ個の記録層を使用する使用パターンを選定する一方、
前記繰り返し動作中の所定の選択動作において第１の使用パターンを選択した場合には、第１の使用パターンを初めて選択した選択動作における第１の使用パターンを選定することを特徴とする光ディスク記録方法。
【請求項３】
請求項１の光ディスク記録方法において、
光ディスクの一部又は全面に対してＣＡＶ制御方式で記録が行われる場合、
前記使用パターンで使用される記録可能領域は、前記光ディスクのデータゾーンの記録可能領域の最外周を含み、かつ当該使用パターンで記録データの記録に使用されない記録可能領域より内周側の領域を含まないことを特徴とする光ディスク記録方法。
【請求項４】
請求項１〜３のうちのいずれか１項の光ディスク記録方法において、
前記総記録時間は、シーク時間を含むことを特徴とする光ディスク記録方法。
【請求項５】
請求項１〜３のうちのいずれか１項の光ディスク記録方法において、
前記総記録時間は、記録に使用するパラメータの調整時間を含むことを特徴とする光ディスク記録方法。
【請求項６】
請求項１〜５のうちのいずれか１項の光ディスク記録方法において、
前記使用パターン選定ステップによって選定される使用パターンで行われる層間移動は、層間移動前の記録層に対して走査方向が逆になる記録層への層間移動であることを特徴とする光ディスク記録方法。
【請求項７】
請求項１の光ディスク記録方法において、
前記記録データの記録に使用した使用領域と当該使用領域の使用順序とを示す連結情報を前記光ディスクに記録することを特徴とする光ディスク記録方法。
【請求項８】
請求項１の光ディスク記録方法において、
記録データの開始論理アドレスを、前記使用パターン選定ステップによって選定された使用パターンで最初に記録を行う記録位置の開始物理アドレスに変換するアドレス変換ステップをさらに備え、
前記アドレス変換ステップにより得られた開始物理アドレスで示される記録位置で記録データの記録を開始することを特徴とする光ディスク記録方法。
【請求項９】
請求項１の光ディスク記録方法において、
前記光ディスクのデータゾーンにデータが記録されていない場合には、前記記録データの記録に使用される各記録層で、互いに等しい容量の領域が記録データの記録に使用されることを特徴とする光ディスク記録方法。
【請求項１０】
請求項１の光ディスク記録方法において、
光ディスクから読み出された情報に基づいて、光ディスクにおける各記録層の記録可能領域を特定する記録可能領域特定ステップをさらに備え、
前記光ディスクのデータゾーンに既にデータが記録されている場合には、前記記録可能領域特定ステップによって特定された各記録層の記録可能領域の容量に基づいた容量分の記録データを各記録層に記録することを特徴とする光ディスク記録方法。
【請求項１１】
請求項１の光ディスク記録方法において、
前記光ディスクのデータゾーンに既にデータが記録されている場合に、データの記録されていない領域に対して、前記記録データの記録を行うことを特徴とする光ディスク記録方法。
【請求項１２】
少なくとも１つの記録層を有する光ディスクへ記録データを記録する光ディスク記録方法において、
前記光ディスクの各記録層のデータゾーンを半径方向に分割して複数の分割領域を特定する領域分割ステップと、
前記領域分割ステップにより特定された各分割領域の優先度を、各分割領域の特性に基づいて決定する優先度決定ステップとを備え、
前記優先度決定ステップによって決定された優先度の高い分割領域から順に、前記記録データの記録に使用することを特徴とする光ディスク記録方法。
【請求項１３】
請求項１２の光ディスク記録方法において、
前記各分割領域の特性は、各分割領域の線速度であることを特徴とする光ディスク記録方法。
【請求項１４】
請求項１２の光ディスク記録方法において、
光ディスクから読み出された情報に基づいて、光ディスクのデータゾーンにおける記録可能領域を特定する記録可能領域特定ステップをさらに備え、
前記各分割領域の特性は、各分割領域における記録可能領域の容量であることを特徴とする光ディスク記録方法。
【請求項１５】
請求項１２〜１４のうちのいずれか１項の光ディスク記録方法において、
複数の記録層を有する光ディスクに対し、複数の記録層を使用して前記記録データを記録することを特徴とする光ディスク記録方法。
【請求項１６】
請求項１５の光ディスク記録方法において、
複数の記録層に優先度の等しい分割領域が複数存在する場合、前記優先度決定ステップは、この複数の分割領域について、各分割領域が前記複数の記録層のうちのいずれに属しているかに基づいて、使用順序を決定することを特徴とする光ディスク記録方法。
【請求項１７】
請求項１５の光ディスク記録方法において、
複数の記録層に優先度の等しい分割領域が複数存在する場合、前記優先度決定ステップは、この複数の分割領域について、各分割領域の属する記録層におけるトラック走査方向に基づいて、使用順序を決定することを特徴とする光ディスク記録方法。
【請求項１８】
請求項１５の光ディスク記録方法において、
前記優先度決定ステップは、外周側の領域程優先度が高くなるように優先度を決定することを特徴とする光ディスク記録方法。
【請求項１９】
請求項１８の光ディスク記録方法において、
複数の記録層を有する光ディスクの一部又は全面に対してＣＡＶ制御方式で前記記録データを記録する場合に、
前記領域分割ステップは、各分割領域の幅を、データゾーンの外周側から順に、当該分割領域の幅ｗ１と当該分割領域と同じ面積で内周側に隣接する隣接領域の幅ｗ２との差をピックアップの半径方向走査速度で割ることにより求まる時間が、記録層の移動に要する時間よりも長くなるように特定することを特徴とする光ディスク記録方法。
【請求項２０】
請求項１８の光ディスク記録方法において、
複数の記録層を有する光ディスクの一部又は全面に対してＣＡＶ制御方式で前記記録データを記録する場合に、
前記領域分割ステップは、分割領域の半径方向の幅が、外周側から内周側に向かって徐々に狭くなるように分割領域を特定することを特徴とする光ディスク記録方法。
【請求項２１】
請求項１２の光ディスク記録方法において、
前記優先度決定ステップは、光ディスクの各記録層において、データゾーンの最外周及び最内周を含まない分割領域の優先度を、前記最外周を含む分割領域及び最内周を含む分割領域の優先度よりも高くすることを特徴とする光ディスク記録方法。
【請求項２２】
請求項２１の光ディスク記録方法において、
前記最外周を含む分割領域は、前記最外周及び最内周を含まない分割領域よりも記録失敗の可能性が高いことを特徴とする光ディスク記録方法。
【請求項２３】
請求項２１の光ディスク記録方法において、
前記最外周を含む分割領域は、回転制御方式が変化する箇所を含むことを特徴とする光ディスク記録方法。
【請求項２４】
請求項２１の光ディスク記録方法において、
複数の記録層を有する光ディスクに対し、複数の記録層を使用して前記記録データの記録を行うことを特徴とする光ディスク記録方法。
【請求項２５】
請求項２４の光ディスク記録方法において、
前記記録データの記録に使用される各記録層で１つの分割領域が前記記録データの記録に使用されることを特徴とする光ディスク記録方法。
【請求項２６】
請求項１２の光ディスク記録方法において、
前記優先度決定ステップによって決定された各分割領域の優先度に基づいて、記録データの開始論理アドレスを、前記優先度決定ステップによって決定された優先度が最も高い分割領域の開始物理アドレスに変換するアドレス変換ステップをさらに備え、
前記アドレス変換ステップによる変換により得られた開始物理アドレスで示される記録位置で記録データの記録を開始することをを特徴とする光ディスク記録方法。
【請求項２７】
請求項１２の光ディスク記録方法において、
前記光ディスクのデータゾーンに既にデータが記録されている場合に、データの記録されていない領域に対して、前記記録データの記録を行うことを特徴とする光ディスク記録方法。
【請求項２８】
ユーザによって記録を指示された記録データを光ディスク記録装置に送信するホスト装置による光ディスク記録装置制御方法であって、
前記記録データの容量を特定する容量特定ステップと、
前記容量特定ステップによって特定された記録データの容量を前記光ディスク記録装置に通知する容量通知ステップとを備えていることを特徴とする光ディスク記録装置制御方法。
【請求項２９】
光ディスクの一部又は全面に対してＣＡＶ制御方式でデータを記録する光ディスク記録装置に対し、ユーザによって記録を指示された記録データを送信するホスト装置による光ディスク記録装置制御方法であって、
光ディスク記録装置によって光ディスクから読み出された情報に基づいて、当該光ディスクのデータゾーンにおける記録可能領域を特定する記録可能領域特定ステップと、
前記記録可能領域特定ステップによって特定された記録可能領域から、最内周を含まない領域を使用領域として特定する使用領域特定ステップとを備え、
前記使用領域特定ステップによって特定された使用領域に前記記録データを記録するように、前記光ディスク記録装置に対して指示を行うことを特徴とする光ディスク記録装置制御方法。
【請求項３０】
請求項２９の光ディスク記録装置制御方法において、
前記使用領域特定ステップによって特定された使用領域を構成する各分割領域について、使用優先度を決定する優先度決定ステップを備え、
前記優先度決定ステップによって決定された使用優先度の高い分割領域から順に、前記記録データの記録に使用するように、前記光ディスク記録装置に対して指示を行うことを特徴とする光ディスク記録装置制御方法。
【請求項３１】
ユーザによる指示に応じて光ディスク記録装置にデータの再生指示を行うホスト装置による光ディスク記録装置制御方法であって、
前記再生指示の対象となっているデータが分割されて複数の分割領域に記録されている場合、前記分割領域の再生順序を示すデータ連結情報を光ディスク記録装置から受信する連結情報受信ステップを備え、
前記連結情報受信ステップによって受信されたデータ連結情報によって示される再生順序で前記複数の分割領域を再生するように、前記光ディスク記録装置に対して前記再生指示を行うことを特徴とする光ディスク記録装置制御方法。  
【請求項３２】
複数の記録層を有する光ディスクに対し、半径位置に応じた記録速度で記録データを記録する光ディスク記録装置において、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定部を備え、
前記使用パターン選定部によって選定された使用パターンに従って前記記録データの記録を行うことを特徴とする光ディスク記録装置。
【請求項３３】
少なくとも１つの記録層を有する光ディスクへ記録データを記録する光ディスク記録装置において、
前記光ディスクの各記録層のデータゾーンを半径方向に分割して複数の分割領域を特定する領域分割部と、
前記領域分割部により特定された各分割領域の優先度を、各分割領域の特性に基づいて決定する優先度決定部とを備え、
前記優先度決定部によって決定された優先度の高い分割領域から順に、前記記録データの記録に使用することを特徴とする光ディスク記録装置。
【請求項３４】
ユーザによって記録を指示された記録データを光ディスク記録装置に送信するホスト装置であって、
前記記録データの容量を特定する容量特定部と、
前記容量特定部によって特定された記録データの容量を前記光ディスク記録装置に通知する容量通知部とを備えていることを特徴とするホスト装置。
【請求項３５】
光ディスクの一部又は全面に対してＣＡＶ制御方式でデータを記録する光ディスク記録装置に対し、ユーザによって記録を指示された記録データを送信するホスト装置であって、
光ディスク記録装置によって光ディスクから読み出された情報に基づいて、当該光ディスクのデータゾーンにおける記録可能領域を特定する記録可能領域特定部と、
前記記録可能領域特定部によって特定された記録可能領域から、最内周を含まない領域を使用領域として特定する使用領域特定部とを備え、
前記使用領域特定部によって特定された使用領域に前記記録データを記録するように、前記光ディスク記録装置に対して指示を行うことを特徴とするホスト装置。
【請求項３６】
ユーザによる指示に応じて光ディスク記録装置にデータの再生指示を行うホスト装置であって、
前記再生指示の対象となっているデータが分割されて複数の分割領域に記録されている場合、前記分割領域の再生順序を示すデータ連結情報を光ディスク記録装置から受信する連結情報受信部を備え、
前記連結情報受信部によって受信されたデータ連結情報によって示される再生順序で前記複数の分割領域を再生するように、前記光ディスク記録装置に対して前記再生指示を行うことを特徴とするホスト装置。
【請求項３７】
光ディスク記録装置において、複数の記録層を有する光ディスクに対し、半径位置に応じた記録速度で記録データが記録されるように光ピックアップを制御する制御装置に実行させる光ディスク記録制御プログラムであって、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定ステップと、
前記使用パターン選定ステップによって選定された使用パターンに従って前記記録データの記録が行われるように前記光ピックアップを制御する制御ステップとを前記制御装置に実行させることを特徴とする光ディスク記録制御プログラム。
【請求項３８】
光ディスク記録装置において、少なくとも１つの記録層を有する光ディスクへ記録データが記録されるように光ピックアップを制御する制御装置に実行させる光ディスク記録制御プログラムであって、
前記光ディスクの各記録層のデータゾーンを半径方向に分割して複数の分割領域を特定する領域分割ステップと、
前記領域分割ステップにより特定された各分割領域の優先度を、各分割領域の特性に基づいて決定する優先度決定ステップと、
前記優先度決定ステップによって決定された優先度の高い分割領域から順に、前記記録データの記録に使用されるように前記光ピックアップを制御する制御ステップとを前記制御装置に実行させることを特徴とする光ディスク記録制御プログラム。
【請求項３９】
ユーザによって記録を指示された記録データを光ディスク記録装置に送信するホスト装置に実行させる光ディスク記録装置制御プログラムであって、
前記記録データの容量を特定する容量特定ステップと、
前記容量特定ステップによって特定された記録データの容量を前記光ディスク記録装置に通知する容量通知ステップとを前記ホスト装置に実行させることを特徴とする光ディスク記録装置制御プログラム。
【請求項４０】
光ディスクの一部又は全面に対してＣＡＶ制御方式でデータを記録する光ディスク記録装置に対し、ユーザによって記録を指示された記録データを送信するホスト装置に実行させる光ディスク記録装置制御プログラムであって、
光ディスク記録装置によって光ディスクから読み出された情報に基づいて、当該光ディスクのデータゾーンにおける記録可能領域を特定する記録可能領域特定ステップと、
前記記録可能領域特定部によって特定された記録可能領域から、最内周を含まない領域を使用領域として特定する使用領域特定ステップと、
前記使用領域特定部によって特定された使用領域に前記記録データを記録するように、前記光ディスク記録装置に対して指示を行う記録指示ステップとを前記ホスト装置に実行させることを特徴とする光ディスク記録装置制御プログラム。
【請求項４１】
ユーザによる指示に応じて光ディスク記録装置にデータの再生指示を行うホスト装置に実行させる光ディスク記録装置制御プログラムであって、
前記再生指示の対象となっているデータが分割されて複数の分割領域に記録されている場合、前記分割領域の再生順序を示すデータ連結情報を光ディスク記録装置から受信する連結情報受信ステップと、
前記連結情報受信ステップによって受信されたデータ連結情報によって示される再生順序で前記複数の分割領域を再生するように、前記光ディスク記録装置に対して前記再生指示を行う再生指示ステップとを前記ホスト装置に実行させることを特徴とする光ディスク記録装置制御プログラム。
【発明の詳細な説明】
【技術分野】
【０００１】
本発明は、ＢＤ−Ｒ、ＢＤ−ＲＥ等の光ディスクに対し、データを記録する光ディスク記録方法及び光ディスク記録装置や、当該光ディスク記録装置を制御する光ディスク記録装置制御方法及びホスト装置に関し、特に、光ディスクに対して記録データを割り当てる技術に関する。
【背景技術】
【０００２】
特許文献１では、記録データの記録終了位置がデータゾーンの最外周となるように記録開始アドレスを算出し、算出した記録開始アドレスで記録データの記録を開始することにより、記録データが高速で再生されるようにしている。【０００３】
特許文献２に開示されたディスク記録再生装置は、スピンドルモータのトルクや回転数の制限により、高倍速記録対応光ディスクの内周に対して指定された線速度で記録を行えない場合に、所定位置よりも外周側のデータゾーンにのみ記録を行うようになっている。
【先行技術文献】
【特許文献】
【０００４】
【特許文献１】特開２００４−１３４０２２号公報
【特許文献２】特開２００６−１５５７１４号公報
【発明の概要】
【発明が解決しようとする課題】
【０００５】
特許文献１では、データゾーンの外周側から順に優先的に記録に使用するため、光ディスクの内周から外周へ向かって順に記録データを記録する場合に比べ、記録データの記録にかかる実記録時間が短くなる。【０００６】
しかしながら、複数の記録層を有する光ディスクに対して記録を行う場合、データゾーンの外周側を優先的に使用することによって実記録時間を短くできても、フォーカス位置の切り替え、記録学習等にかかる時間が長くなり、総記録時間が長くなってしまう場合がある。【０００７】
また、特許文献２でも、データゾーンにおける所定のデータ記録開始位置よりも外周側の領域にのみ記録を行うので、内周側の領域を使用する場合に比べて実記録時間を短くできるが、フォーカス位置の切り替え、記録学習等にかかる時間が長くなり、総記録時間が長くなってしまう場合がある。【０００８】
本発明は、上記の点に鑑み、光ディスクに対する記録データの記録にかかる総記録時間を短縮することを目的とする。
【課題を解決するための手段】
【０００９】
上記の課題を解決するため、本発明の第１の実施態様は、複数の記録層を有する光ディスクに対し、半径位置に応じた複数種類の記録速度で記録データを記録する光ディスク記録処理において、前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定処理を備え、前記使用パターン選定処理によって選定された使用パターンに従って前記記録データの記録を行うことを特徴とする。【００１０】
前記第１の実施態様により、記録データの記録にかかる総記録時間が短くなるように選定された使用パターンに従って記録データの記録が行われる。【００１１】
また、本発明の第２の実施態様は、少なくとも１つの記録層を有する光ディスクへ記録データを記録する光ディスク記録処理において、前記光ディスクの各記録層のデータゾーンを半径方向に分割して複数の分割領域を特定する領域分割処理と、前記領域分割処理により特定された各分割領域の優先度を、各分割領域の特性に基づいて決定する優先度決定処理とを備え、前記優先度決定処理によって決定された優先度の高い分割領域から順に、前記記録データの記録に使用することを特徴とする。【００１２】
前記第２の実施態様により、各分割領域の特性に基づいて決定された優先度の高い分割領域から順に、記録データの記録に使用される。したがって、例えば、線速度の高い分割領域の優先度を高く設定することにより、記録が速く行われるようにすることができる。【００１３】
また、本発明の第３の実施態様は、ユーザによって記録を指示された記録データを光ディスク記録装置に送信するホスト装置による光ディスク記録装置制御処理であって、前記記録データの容量を特定する容量特定処理と、前記容量特定処理によって特定された記録データの容量を前記光ディスク記録装置に通知する容量通知処理とを備えていることを特徴とする。【００１４】
前記第３の実施態様により、記録データの容量の通知を受けた光ディスク記録装置が、通知された記録データの容量に基づいて、記録データの使用領域を特定することができる。【００１５】
また、本発明の第４の実施態様は、データをＣＡＶ制御方式で記録する光ディスク記録装置に対し、ユーザによって記録を指示された記録データを送信するホスト装置による光ディスク記録装置制御処理であって、光ディスク記録装置によって光ディスクから読み出された情報に基づいて、当該光ディスクのデータゾーンにおける記録可能領域を特定する記録可能領域特定処理と、前記記録可能領域特定処理によって特定された記録可能領域から、最内周を含まない領域を使用領域として特定する使用領域特定処理と、前記使用領域特定処理によって特定された使用領域に前記記録データを記録するように、前記光ディスク記録装置に対して指示を行うことを特徴とする。【００１６】
前記第４の実施態様により、線速度の遅い光ディスクの最内周が記録データの記録に使用されないので、記録データの記録が速く行われる。【００１７】
また、本発明の第５の実施態様は、ユーザによる指示に応じて光ディスク記録装置にデータの再生指示を行うホスト装置による光ディスク記録装置制御処理であって、前記再生指示の対象となっているデータが分割されて複数の分割領域に記録されている場合、前記分割領域の再生順序を示すデータ連結情報を光ディスク記録装置から受信する連結情報受信処理と、前記連結情報受信処理によって受信されたデータ連結情報によって示される再生順序で前記複数の分割領域を再生するように、前記光ディスク記録装置に対して前記再生指示を行うことを特徴とする。【００１８】
前記第５の実施態様により、データ連結情報によって示される再生順序によって複数の分割領域を再生する機能を有しない光ディスク記録装置に、データ連結情報によって示される再生順序で複数の分割領域を再生させることができる。
【発明の効果】
【００１９】
本発明の第１の実施態様によると、記録データの記録にかかる総記録時間が短くなるように選定された使用パターンに従って記録データの記録が行われるので、総記録時間が短縮される。【００２０】
本発明の第２の実施態様によると、各分割領域の特性に基づいて決定された優先度の高い分割領域から順に、記録データの記録に使用される。したがって、例えば、線速度の高い分割領域の優先度を高く設定することにより、記録が速く行われるようにすることができる。【００２１】
本発明の第３の実施態様によると、光ディスク記録装置が、通知された記録データの容量に基づいて、記録データの使用領域を特定することができる。【００２２】
本発明の第４の実施態様によると、線速度の遅い光ディスクの最内周は記録データの記録に使用されないので、記録データの記録が速く行われ、記録時間が短縮される。【００２３】
本発明の第５の実施態様によると、データ連結情報によって示される再生順序によって複数の分割領域を再生する機能を有しない光ディスク記録装置に、データ連結情報によって示される再生順序で複数の分割領域を再生させることができる。
【図面の簡単な説明】
【００２４】
【図１】図１は、本発明の実施形態１に係る光ディスク記録システムの構成を示すブロック図である。
【図２】図２は、同、光ディスク記録再生装置１００の構成を示すブロック図である。
【図３】図３は、同、データ記録領域割り当て処理によって選定された使用パターンの例を説明する説明図である。
【図４】図４は、同、ホスト装置１２０の構成を示すブロック図である。
【図５】図５は、同、光ディスク１０１のデータゾーンの論理アドレス空間を示す説明図である。
【図６】図６は、同、光ディスク記録システムの動作を示すフローチャートである。
【図７】図７は、同、図６の（Ｓ１００４）におけるホスト装置１２０の動作を示すフローチャートである。
【図８】図８は、同、図６の（Ｓ１００４）における光ディスク記録再生装置１００の動作を示すフローチャートである。
【図９】図９は、同、図８の（Ｓ１２０１）における光ディスク記録再生装置１００の動作を示すフローチャートである。
【図１０】図１０は、同、光ディスク１０１のＬ０、Ｌ１、Ｌ２各層の記録可能領域の半径位置と線速度との関係を示すグラフの例である。
【図１１】図１１は、同、図８の（Ｓ１２０７）における光ディスク記録再生装置１００の動作を示すフローチャートである。
【図１２】図１２は、同、図６の（Ｓ１００５）における光ディスク記録システムの動作を示すフローチャートである。
【図１３】図１３は、光ディスクに記録データを記録する従来の方法を説明する説明図である。
【図１４】図１４は、同、記録データを追記する場合にデータ記録領域割り当て処理によって選定された使用パターンの例を説明する説明図である。
【図１５】図１５は、本発明の実施形態２に係る光ディスク記録再生装置２００の構成を示すブロック図である。
【図１６】図１６は、同、ＺＣＬＶ制御方法を採用した場合における光ディスク１０１の分割Ｚｏｎｅを説明する説明図である。
【図１７】図１７は、同、未記録状態の光ディスク１０１に対して記録を行う場合に特定される使用領域及び使用順序の例を説明する説明図である。
【図１８】図１８は、同、光ディスク１０１に対して記録データの追記を行う場合に特定される使用領域及び使用順序の例を説明する説明図である。
【図１９】図１９は、同、光ディスク１０１に対して記録データの追記を行う場合に特定される使用領域及び使用順序の例を説明する説明図である。
【図２０】図２０は、同、図９相当図である。
【図２１】図２１は、本発明の実施形態３に係る図９相当図である。
【図２２】図２２は、同、（Ｓ３２１１）で特定される分割領域の例を説明する説明図である。
【図２３】図２３は、同、未記録状態の光ディスク１０１に対して記録を行う場合に（Ｓ３２１２）で決定される使用順序の例を説明する説明図である。
【図２４】図２４は、同、光ディスク１０１に対して記録データの追記を行う場合に（Ｓ３２１２）で決定される使用順序の例を説明する説明図である。
【図２５】図２５は、本発明の実施形態３の変形例に係る（Ｓ３２１１）で特定される分割領域を説明する説明図である。
【図２６】図２６は、同、データゾーン内の所定の領域Ａを分割領域１，２に分割した状態を説明する説明図である。
【図２７】図２７は、本発明の実施形態４に係るホスト装置４２０を示すブロック図である。
【図２８】図２８は、同、図６の（Ｓ１００４）におけるホスト装置４２０の動作を示すフローチャートである。
【図２９】図２９の（Ａ）は、未記録状態の光ディスク１０１に対して記録を行う場合における使用領域と各分割領域の使用優先度の例を説明する説明図である。図２９の（Ｂ）は、光ディスク１０１に対して記録データの追記を行う場合における使用領域と各分割領域の使用優先度の例を説明する説明図である。
【発明を実施するための形態】
【００２５】
以下、本発明の実施形態について、図面を参照して説明する。なお、以下の各実施形態において、他の実施形態と同様の機能を有する構成要素については同一の符号を付して説明を省略する。
【００２６】
《実施形態１》
本発明の実施形態１に係る光ディスク記録システムは、図１に示すように、光ディスク１０１に対してデータの記録再生を行う光ディスク記録再生装置１００、ホスト装置１２０、ホスト装置１２０によるデータ処理の結果を出力する出力部１４０、及びホスト装置１２０へのユーザによるデータ入力に用いられる入力部１５０を備えている。
【００２７】
＜光ディスク記録再生装置１００の構成＞
光ディスク記録再生装置１００は、図２に示すように、スピンドルモータ１０２、光ピックアップ１０３、サーボ制御部１０４、レーザー制御部１０５、信号処理部１０６、メモリ１０７、システムコントローラ１０８、記録可能領域判別部１０９、データ分割部１１０、記録時間演算部（使用パターン選定部）１１１、アドレス変換部１１２、及びインタフェース１１３を備えている。また、信号処理部１０６、メモリ１０７、システムコントローラ１０８、記録可能領域判別部１０９、データ分割部１１０、記録時間演算部１１１、及びアドレス変換部１１２により、光ピックアップ１０３を間接的に制御する制御装置１１４が構成されている。この制御装置１１４が光ディスク、磁気ディスク、または、不揮発性の半導体メモリー（あらゆる種類のＲＯＭ（リードオンリーメモリー）が含まれる）等の情報記録媒体に記録されたプログラムを実行することにより、光ディスク記録再生装置１００の機能が実現される。なお、制御装置１１４が、情報記録媒体に記録されたプログラムを、ＲＡＭ（ランダムアクセスメモリー）等の揮発性の半導体メモリーに読み込んでから実行するようにしてもよい。
【００２８】
スピンドルモータ１０２は、光ディスク１０１を回転させる。
【００２９】
光ピックアップ１０３は、レーザー光を発光するレーザーダイオード（ＬＤ：Laser Diode）と、光ディスクから反射される反射光を検出する反射光検出フォトディテクタと、上記ＬＤによって出力されたレーザー光自体を受光する前光フォトディテクタ（両フォトディテクタをまとめて受光素子とする）と、前記レーザーダイオードによって発光されたレーザー光が通過する対物レンズとを備えている。光ピックアップ１０３は、反射光検出フォトディテクタによって検出した反射光の強度を示す反射光信号、及び前光フォトディテクタによって受光したレーザー光自体の強度を示すレーザー光信号を出力する。
【００３０】
サーボ制御部１０４は、スピンドルモータ１０２の回転制御を行うとともに、光ピックアップ１０３のトラッキング、及びフォーカシングを制御する。
【００３１】
レーザー制御部１０５は、光ピックアップ１０３のレーザー出力の強さを制御する。
【００３２】
信号処理部１０６は、サーボ制御部１０４から受けた信号を処理することによってトラッキング、フォーカシング、スピンドルモータ回転数の制御のための信号を生成する。生成した信号をサーボ制御部１０４にフィードバックする。また、光ピックアップ１０３によって出力されたレーザー光信号を受け、レーザー制御部１０５へレーザー制御用の信号をフィードバックする。さらに、光ピックアップ１０３によって出力された反射光信号を受け、当該反射光信号に基づく再生信号をシステムコントローラ１０８へ出力する。
【００３３】
メモリ１０７は、システムコントローラ１０８によって保存指示されたデータ、又はシステムコントローラ１０８を経由して各ブロックによって保存指示されたデータを記憶する。
【００３４】
システムコントローラ１０８は、光ディスク記録再生装置１００の各ブロックを制御する。
【００３５】
記録可能領域判別部１０９は、メモリ１０７に記録された光ディスク管理情報をシステムコントローラ１０８経由で受信し、光ディスク１０１のデータゾーンにおける記録可能領域を当該光ディスク管理情報に基づいて特定する。ここで、光ディスク管理情報は、装填された光ディスク１０１に既に記録されたデータが存在するか否か、すなわち光ディスク１０１が既記録であるか未記録であるかや、既に記録されているデータの記録位置（例えば、開始アドレス）、サイズ（容量）、形式等を示すものである。そして、特定した記録可能領域を示す情報（以下、「記録可能領域特定情報」と呼ぶ）の保存指示を、メモリ１０７に対してシステムコントローラ１０８経由で行う。
【００３６】
データ分割部１１０は、記録可能領域判別部１０９によって保存された記録可能領域特定情報をメモリ１０７からシステムコントローラ１０８経由で受信する。そして、受信した記録可能領域特定情報により示される記録可能領域と、光ディスク１０１に対し記録指示のあったデータ（記録データ）の容量とに基づいて、記録可能領域への記録が可能となるように記録データを分割する。
【００３７】
記録時間演算部１１１は、所定の記録可能領域を所定の使用順序で上記記録データの記録に使用する複数種類の使用パターンについて、システムコントローラ１０８経由で受信した光ディスク１０１の記録可能領域における線速度（記録速度）と、記録データの容量と、層間シーク回数（層間移動回数）と、パラメータ調整回数とに基づいて、総記録時間を導出する。そして、導出した総記録時間が最も短い使用パターンを選定する。
【００３８】
アドレス変換部１１２は、記録時間演算部１１１によって選定された使用パターンで使用する各記録層について、記録開始位置を示す物理開始アドレスと記録終了位置を示す物理終了アドレスとを特定し、変換情報としてメモリ１０７に保存する。そして、メモリ１０７に保存した変換情報に基づいて、システムコントローラ１０８経由でホスト装置１２０から受信したアクセス論理アドレスを、光ディスク１０１の物理アドレスに変換する。また、光ディスク１０１の物理アドレスをアクセス論理アドレスに変換する。
【００３９】
インタフェース１１３は、システムコントローラ１０８とホスト装置１２０の通信のために用いられる。
【００４０】
＜光ディスク１０１の構成＞
データ記録の対象となる光ディスク１０１は、図３に示すように、オポジットトラックパス方式の３つの記録層を持つ。つまり、内周から外周に向かって記録が行われる記録層と外周から内周に向かって記録が行われる記録層とが交互に重なっている。各記録層の番号をＬ０、Ｌ１、Ｌ２とする。各記録層はインナーゾーン（Ｉｎｎｅｒ  Ｚｏｎｅ）、データゾーン（Ｄａｔａ  Ｚｏｎｅ）、アウターゾーン（Ｏｕｔｅｒ  Ｚｏｎｅ）に分割されており、ユーザーにより記録されるデータはデータゾーンに割り当てられる。インナーゾーン及びアウターゾーンは、それぞれ、図示しない記録学習用の領域、ディスク管理領域、及び制御情報領域を有している。記録学習用の領域は、光ディスク１０１にデータを記録する前に、データ記録に必要なレーザーパワーや、光ディスク１０１の状態や光ディスク記録再生装置１００の状況に適したライトストラテジ、すなわち記録パルスのパターンを学習するために使用される。ディスク管理領域には、データアクセスに必要な情報や欠陥セクタの情報が記録される。制御情報領域には、光ディスク１０１についての情報が予め記録されており、光ディスク記録再生装置１００の制御に使用される。
【００４１】
＜ホスト装置１２０の構成＞
ホスト装置１２０は、図４に示すように、ユーザインタフェース１２１、システムコントローラ（容量特定部）１２２、メモリ１２３、インタフェース１２４、及び光ディスク記録再生装置制御部１２５を備えている。ホスト装置１２０の機能は、光ディスク、磁気ディスク、または、不揮発性の半導体メモリー（あらゆる種類のＲＯＭ（リードオンリーメモリー）が含まれる）等の情報記録媒体に記録されたプログラムをコンピュータに実行させることにより実現される。詳しくは、ホスト装置１２０の機能は、様々なアプリケーションで利用可能となるようにデバイスドライバによって実現してもよいし、個々のアプリケーションプログラムによって実現してもよい。
【００４２】
ユーザインタフェース１２１は、ホスト装置１２０とユーザとのデータ通信のために用いられる。
【００４３】
システムコントローラ１２２は、ホスト装置１２０の各ブロックを制御する。
【００４４】
メモリ１２３は、システムコントローラ１２２によって保存指示されたデータ、又はシステムコントローラ１２２を経由して各ブロックによって保存指示されたデータを記憶する。
【００４５】
インタフェース１２４は、光ディスク記録再生装置１００とホスト装置１２０とのデータ通信のために用いられる。
【００４６】
光ディスク記録再生装置制御部１２５は、光ディスク記録再生装置１００を制御するものであり、メイン処理部（容量通知部）１２６、及び記録可能領域特定部１２７を備えている。
【００４７】
メイン処理部１２６は、種々の情報処理を行う。
【００４８】
記録可能領域特定部１２７は、受信した光ディスクの管理情報をもとに、光ディスク１０１のデータゾーンにおける記録可能領域を特定する。
【００４９】
＜論理アドレス空間＞
図５は、データゾーンの論理アドレス空間を示す説明図である。ホスト装置１２０によって認識されるアドレス空間の記録位置には、光ディスク１０１の有する記録層の数、及び光ディスク１０１の物理レイアウトに依存しない連続したアドレスが振られている。光ディスク１０１のデータゾーン全体に連続して記録を行う場合、光ディスク１０１はオポジットトラックパス方式であるので、Ｌ０最内周→Ｌ０最外周→Ｌ１最外周→Ｌ１最内周→Ｌ２最内周→Ｌ２最外周の順で論理アドレスが割り当てられる。
【００５０】
＜光ディスク記録システムの動作＞
以下、光ディスク記録システムがＣＡＶ制御方式で記録データを光ディスク１０１に記録する場合の動作について説明する。
【００５１】
光ディスク記録再生装置１００に光ディスク１０１が装填されると、スピンドルモータ１０２が光ディスク１０１を回転させ、光ピックアップ１０３がレーザー光を光ディスク１０１に照射する。そして、サーボ制御部１０４によりトラッキング、フォーカシングが行われ、さらに、スピンアップと呼ばれる動作（以下、「スピンアップ動作」と呼ぶ）によって光ディスク記録再生装置１００が記録再生動作の可能な状態に起動する。光ディスク記録再生装置１００は、スピンアップ動作を開始すると、起動中であることをホスト装置１２０に通知する。このスピンアップ動作において、光ディスク記録再生装置１００は、光ディスク１０１におけるディスク管理領域及び制御情報領域の情報を読み出し、光ディスク管理情報としてメモリ１０７に保存する。また、記録可能領域判別部１０９が、メモリ１０７に記録された光ディスク管理情報を受信し、光ディスク１０１のデータゾーンにおける記録可能領域を当該光ディスク管理情報に基づいて特定し、特定した記録可能領域を示す情報を記録可能領域特定情報としてメモリ１０７に保存する。
【００５２】
この状態で、図６のフローチャートに示す動作が開始される。
【００５３】
（Ｓ１００１）光ディスク記録再生装置１００は、上記スピンアップ動作において読み出された光ディスク１０１の情報、すなわち上記光ディスク管理情報と、光ディスク記録再生装置１００についてのドライブ情報とをホスト装置１２０に送信する。ホスト装置１２０は、これら光ディスク管理情報とドライブ情報とを受信してメモリ１２３により保存する。そして、光ディスク記録再生装置制御部１２５は、この光ディスク管理情報に基づいて、光ディスク１０１に記録されているデータの容量や形式、データの記録位置を示すアドレス、光ディスク記録再生装置１００で実現可能な記録倍速等を特定し、それらの情報のうちで必要な情報をユーザインタフェース１２１を介して出力部１４０に出力する。
【００５４】
（Ｓ１００２）そして、ユーザが入力部１５０に対する入力によってホスト装置１２０に動作指示を行うと、ホスト装置１２０のシステムコントローラ１２２が、当該動作指示に応じた動作指示信号を光ディスク記録再生装置制御部１２５に送信し、光ディスク記録再生装置制御部１２５のメイン処理部１２６が当該動作指示信号を受信する。また、ユーザは、上記動作指示として記録指示を行う場合、何倍速で記録を実施するかを入力部１５０に対する入力によって指定する。ユーザは、（Ｓ１００１）において出力部１４０に出力された実現可能な記録倍速に含まれる記録倍速を指定する。また、記録指示が行われた際、システムコントローラ１２２は、記録を指示されたデータ（記録データ）の容量及びユーザによって指定された記録倍速を特定する。
【００５５】
（Ｓ１００３）次に、メイン処理部１２６が、ユーザによる動作指示が記録指示と再生指示のうちのいずれであるかを動作指示信号に基づいて判別する。ユーザによる動作指示が記録指示である場合には（Ｓ１００４）に進み、再生指示である場合には（Ｓ１００５）に進む。
【００５６】
（Ｓ１００４）光ディスク記録システムがデータ記録処理を行う。
【００５７】
（Ｓ１００５）光ディスク記録システムがデータ再生処理を行う。
【００５８】
＜データ記録処理＞
ここで、（Ｓ１００４）のデータ記録処理について説明する。（Ｓ１００４）においては、まず、図７のフローチャートに示す動作が行われる。
【００５９】
（Ｓ１１０１）まず、ホスト装置１２０において、メイン処理部１２６が、光ディスク管理情報と光ディスク記録再生装置１００についてのドライブ情報とをメモリ１２３から受信し、光ディスク１０１へデータ記録する際に実現可能な記録倍速を記憶する。
【００６０】
（Ｓ１１０２）次に、記録可能領域特定部１２７が光ディスク管理情報に基づいて、未だデータの記録されていない領域を記録可能領域として特定し、メイン処理部１２６が、記録データの記録を開始するアクセス論理アドレスを導出する。
【００６１】
（Ｓ１１０３）次に、メイン処理部１２６が、ユーザによって記録指示された記録データの容量、及びユーザによって指定された記録倍速をシステムコントローラ１２２から受信する。当該記録データの容量及び記録倍速は、ユーザから記録指示を受けたときにシステムコントローラ１２２により特定されたものである。
【００６２】
（Ｓ１１０４）次に、メイン処理部１２６が、光ディスク記録再生装置１００に対し、（Ｓ１１０２）において導出したアクセス論理アドレスと、（Ｓ１１０３）において受信した記録データの容量及び記録倍速とを通知するとともに、データ記録を指示する。
【００６３】
次に、光ディスク記録再生装置１００は、（Ｓ１１０４）の指示をホスト装置１２０から受けると、図８のフローチャートに示す記録処理を開始する。また、光ディスク記録再生装置１００は、記録指示に伴ってホスト装置１２０から送信されるアクセス論理アドレス、記録データの容量、及びユーザにより指定された記録倍速をメモリ１０７に保存する。以下、図８のフローチャートに示す記録処理について説明する。
【００６４】
（Ｓ１２０１）光ディスク記録再生装置１００は、記録データを記録するのに使用する使用領域を特定する。詳しくは、各使用領域について、記録開始位置を示す開始物理アドレスと記録終了位置を示す終了物理アドレスとを特定する。また、使用領域の使用順序を特定する。本実施形態では、１つの記録層に対して複数の使用領域が特定されることはないので、使用領域の使用順序が記録層の使用順序となる。そして、アドレス変換部１１２が、ホスト装置１２０から送信されたアクセス論理アドレス（開始論理アドレス）をメモリ１０７から読み出し、当該アクセス論理アドレスを、１番目に記録を行う使用領域の開始物理アドレスに変換する。（Ｓ１２０１）での詳細な処理については後述する。
【００６５】
（Ｓ１２０２ａ）システムコントローラ１０８が、メモリ１０７より、アドレス変換部１１２によって特定された各使用領域（記録層）の開始物理アドレス及び終了物理アドレスと使用順序とを読み出す。ここで、ｉ＝１と設定する。そして、使用する各記録層において記録学習を実施する。つまり、複数の記録層を記録に使用する場合には、複数の記録層において記録学習を実施する。
【００６６】
（Ｓ１２０２ｂ）光ディスク記録再生装置１００は、ｉ番目に記録を行う使用領域の開始物理アドレスによって示される記録開始位置よりデータ記録を開始する。
【００６７】
（Ｓ１２０３）光ディスク記録再生装置１００において、記録データの記録動作と並行して、システムコントローラ１０８が、ｉ番目の使用領域の終了物理アドレスまで記録が完了したかどうかを確認する。終了物理アドレスまで記録が完了していなければ光ディスク記録再生装置１００は（Ｓ１２０３）の処理を繰り返す。一方、終了物理アドレスまで記録が完了していれば（Ｓ１２０４）に進む。
【００６８】
（Ｓ１２０４）光ディスク記録再生装置１００が記録を中断する。
【００６９】
（Ｓ１２０５）システムコントローラ１０８が、全記録データの記録が完了したか否かを確認する。記録が完了していなければ（Ｓ１２０６）に進み、記録が完了していれば（Ｓ１２０７）に進む。
【００７０】
（Ｓ１２０６）ｉ＝ｉ＋１に設定し、次に記録する使用領域、すなわちｉ番目に記録を行う使用領域の開始物理アドレスへシークし、（Ｓ１２０２ｂ）に戻る。  
【００７１】
（Ｓ１２０７）システムコントローラ１０８は、終了物理アドレスをメモリ１０７に保存し、分割されて記録されたデータの連結処理を行う。ここでの詳細な処理については後述する。
【００７２】
＜データ記録領域割り当て処理＞
ここで、（Ｓ１２０１）における詳細な処理について図９のフローチャートを参照して説明する。
【００７３】
（Ｓ１２１１）アドレス変換部１１２が、記録可能領域特定情報をメモリ１０７から読み出し、Ｌ０、Ｌ１、Ｌ２各層の記録可能領域を特定する。
【００７４】
（Ｓ１２１２）アドレス変換部１１２が、メモリ１０７から記録データの容量と記録倍速を読み出し、読み出した記録倍速に基づいて、Ｌ０、Ｌ１、Ｌ２各層の記録可能領域の半径位置と線速度との関係を示すグラフを導出する。ここで導出されるグラフの例を図１０に示す。当該グラフでは、スピンドルモータの回転数が一定であり、半径位置が内周から外周へ行くにつれて線速度が高くなっている。
【００７５】
次に、記録時間演算部１１１が、所定の記録可能領域を所定の使用順序で上記記録データの記録に使用する使用パターンを複数種類特定する。そして、特定した各使用パターンについて、アドレス変換部１１２によって導出されたグラフに基づいて実記録時間を算出する。
【００７６】
詳しくは、記録時間演算部１１１は、使用する記録層の数が互いに異なる使用パターンを特定する。具体的には、以下（Ａ）、（Ｂ）、（Ｃ）の使用パターンのうち、使用する記録層の全記録可能領域の容量が記録データの容量よりも大きくなる使用パターンを特定する。
（Ａ）Ｌ０、Ｌ１、Ｌ２のうちいずれか１つの層の記録可能領域を使用する使用パターン
（Ｂ）Ｌ０、Ｌ１、Ｌ２のうちいずれか２つの層の記録可能領域を使用する使用パターン
（Ｃ）Ｌ０、Ｌ１、Ｌ２全ての層の記録可能領域を使用する使用パターン
また、以下の条件を満たす使用パターンが特定される。
【００７７】
（ａ）使用する記録可能領域の線速度は、使用しない記録可能領域の線速度以上となっている。したがって、ＣＡＶ制御方式で記録が行われるので、使用する記録可能領域は、記録可能領域の最外周を含み、かつ当該使用パターンで記録データの記録に使用されない記録可能領域より内周側の領域を含まない領域となる。
【００７８】
（ｂ）特定された使用パターンに従って記録を行った場合、記録方向が等しい記録層間の直接の層間移動、すなわちＬ０からＬ２への直接の層間移動が行われない。つまり、行われるすべての層間移動が、層間移動前の記録層に対して走査方向が逆になる記録層への層間移動となる。
【００７９】
また、光ディスク１０１のデータゾーンにデータが記録されていない場合には、使用される各記録層において使用される領域の容量が互いに等しい使用パターンを特定する。一方、光ディスク１０１のデータゾーンに既にデータが記録されている場合には、各記録層で使用する記録可能領域の容量が、（Ｓ１１０２）において記録可能領域特定部１２７によって特定された当該記録層の記録可能領域の容量以下となるように使用パターンを特定する。
【００８０】
（Ｓ１２１３）記録時間演算部１１１は、（Ｓ１２１２）で実記録時間を算出した全ての使用パターンについて、記録中断時間の予測をする。記録中断時間は、シーク時間と、記録に使用するパラメータの調整時間としての記録学習時間とをそれぞれ予測して集計したものである。各使用パターンのシーク時間は、フォーカス位置切り替え時間、半径位置移動速度、当該使用パターンで要する半径位置移動距離及びフォーカス位置切り替え回数に基づいて算出する。上記フォーカス位置切り替え時間と半径位置移動速度とは、予め計測されてメモリ１０７に保存されている。各使用パターンの記録学習時間は、１回の記録学習の実施に要する時間と、当該使用パターンで要する記録学習回数とに基づいて算出する。１回の記録学習の実施に要する時間は、予め計測されてメモリ１０７に保存されている。使用する記録層が２個以上になると、同じ記録層を異なる使用順序で使用する複数種類の使用パターンが存在するが、シーク時間はそれらの使用パターンのうち、半径位置移動距離が最も短くなる順番で記録層を使用する使用パターンについてのみ算出される。また、半径位置移動距離が最も短くなる順番が複数存在するときは、層番号の小さい記録層を先に使用する使用パターンについてのみ算出される。記録学習回数は、使用する記録層の数と同じとする。
【００８１】
（Ｓ１２１４）記録時間演算部１１１は、（Ｓ１２１２）で算出した実記録時間と（Ｓ１２１３）で算出した記録中断時間とを合わせた総記録時間を、（Ｓ１２１２）で実記録時間を導出した全ての使用パターンに対して算出する。
【００８２】
（Ｓ１２１５）記録時間演算部１１１は、（Ｓ１２１４）で算出した総記録時間が最も短くなる使用パターンを選定する。総記録時間が最も短い使用パターンが複数ある場合には、記録中断時間が最も短い使用パターンを選定する。
【００８３】
ここで、当該選定の方法について説明する。記録時間演算部１１１は、まず、１つの記録層を使用する上記使用パターン（Ａ）と、２つの記録層を使用する上記使用パターン（Ｂ）とについて、上記総記録時間のより短い使用パターンを選択する選択動作を行う。そして、使用パターン（Ａ）を選択した場合には、総記録時間の最も短い使用パターンとして当該使用パターン（Ａ）を選定する。一方、使用パターン（Ｂ）を選択した場合には、さらに、使用パターン（Ｂ）と使用パターン（Ｃ）とについて、上記選択動作を行う。そして、当該選択動作によって選択した使用パターンを総記録時間の最も短い使用パターンとして選定する。
【００８４】
なお、記録層数が４以上の数ｍである場合にも、同様に、記録データの記録にｎ個（ｎは自然数）の記録層を使用する第１の使用パターンと、（ｎ＋１）個の記録層を使用する第２の使用パターンとのうち、総記録時間のより短い使用パターンを選択する選択動作によって、使用パターンの選定を行ってもよい。すなわち、ｎを１から順に１つずつ大きくしてｎ＝ｍ−１まで前記選択動作を繰り返す繰り返し動作を開始し、当該繰り返し動作中の全ての選択動作において第２の使用パターンを選択した場合には、ｍ個の記録層を使用する使用パターンを選定する一方、前記繰り返し動作中の所定の選択動作において第１の使用パターンを選択した場合には、第１の使用パターンを初めて選択した選択動作における第１の使用パターンを選定するようにしてもよい。
【００８５】
（Ｓ１２１６）アドレス変換部１１２は、（Ｓ１２１５）で選定された使用パターンで使用する記録可能領域を使用領域として特定する。詳しくは、各使用領域の開始物理アドレス、終了物理アドレスを特定し、アクセス論理アドレスを物理アドレスに変換するために用いる変換情報としてメモリ１０７に保存する。また、（Ｓ１２１５）で選定された使用パターンでの使用領域の使用順序を特定し、メモリ１０７に保存する。そして、アドレス変換部１１２は、メモリ１０７に保存した変換情報に基づいて、ホスト装置１２０によって送信されたアクセス論理アドレスを物理アドレスに変換する。
【００８６】
そして、図８の（Ｓ１２０２）〜（Ｓ１２０６）において、（Ｓ１２１５）で選定した使用パターンに従って記録データの記録が行われる。複数の記録層を使用する使用パターンで記録データの記録が行われる場合には、データ分割部１１０が記録データを分割して各記録層に割り当てる。
【００８７】
また、記録データは、データの記録されていない記録可能領域に対して記録され、既にデータの記録されている領域には記録されない。
【００８８】
＜データ連結処理＞
次に、（Ｓ１２０７）における詳細な処理について、図１１のフローチャートを参照して説明する。
【００８９】
（Ｓ１２２１）光ディスク記録再生装置１００が、記録データの記録に使用した各使用領域の開始物理アドレスと終了物理アドレスとの差に基づいて、各使用領域のデータサイズを導出する。
【００９０】
（Ｓ１２２２）光ディスク記録再生装置１００が、分割して記録したデータを１つのデータトラックとして再生できるように、光ディスク１０１のディスク管理領域に連結情報を記録する。連結情報は、記録データの記録に使用した使用領域及び当該使用領域の使用順序を示すものであり、具体的には、使用領域の開始物理アドレス及びデータサイズを使用順に並べたものである。
【００９１】
例えば、図３に示すように光ディスク１０１の３つの記録層が記録データの記録に使用された場合には、連結情報として、記録層Ｌ０の開始物理アドレス、記録層Ｌ０に記録されるデータのデータサイズ、記録層Ｌ１の開始物理アドレス、記録層Ｌ１に記録されるデータのデータサイズ、記録層Ｌ２の開始物理アドレス、記録層Ｌ２に記録されるデータのデータサイズを順に記録する。また、使用した層が１つの場合には１組の開始物理アドレス及びデータサイズを記録し、使用した層が２つの場合には２組の開始物理アドレス及びデータサイズを記録する。
【００９２】
上記のように光ディスク１０１のディスク管理領域に連結情報が記録されるので、記録された記録データを再生する際、光ディスク記録再生装置１００のアドレス変換部１１２が、光ディスク１０１から連結情報を読み取り、この連結情報に基づいて、ホスト装置１２０から送信されたアクセス論理アドレスを物理アドレスに変換することができる。
【００９３】
データ連結処理が終了すると、アドレス変換部１１２が、ディスク管理領域に記録された連結情報と、ホスト装置１２０から受信したアクセス論理アドレスとを関連付け、指示されたアクセス論理アドレスに対しデータ記録が行われたことを示す信号をホスト装置１２０に送信し、記録処理が完了する。
【００９４】
＜データ再生処理＞
さらに、図６の（Ｓ１００５）のデータ再生処理について説明する。（Ｓ１００５）においては、図１２のフローチャートに示すような処理が行われる。
【００９５】
（Ｓ１３０１）ホスト装置１２０のメイン処理部１２６が、メモリ１２３から光ディスク管理情報を受信し、データゾーンにあるデータトラックの構成を把握する。
【００９６】
（Ｓ１３０２）ホスト装置１２０のメイン処理部１２６が、再生指示されたデータトラックへのアクセス論理アドレスとデータサイズとを光ディスク記録再生装置１００に送信し、光ディスク記録再生装置１００にデータ再生を指示する。
【００９７】
（Ｓ１３０３）光ディスク記録再生装置１００が（Ｓ１３０２）でホスト装置１２０から送信されたアクセス論理アドレスに応じてデータの再生を行い、その後、再生データ及び再生完了を示す信号をホスト装置１２０に送信し、ホスト装置１２０がこれらを受信することにより、データ再生処理が終了する。
【００９８】
図３は、（Ｓ１２０１）のデータ記録領域割り当て処理によって選定された使用パターンの例を示す。同図においては、未記録の光ディスク１０１の３つの記録層において、Ｄａｔａ  Ｚｏｎｅの最外周が記録データの記録に使用され、記録データが３等分されて記録されている。つまり、記録データの記録に使用される各記録層で、互いに等しい容量の領域が記録データの記録に使用されている。この場合、アドレス変換部１１２は、Ｌ０の開始物理アドレス７０３、Ｌ０の終了物理アドレス７０６、Ｌ１の開始物理アドレス７０５、Ｌ１の終了物理アドレス７０２、Ｌ２の開始物理アドレス７０１、及びＬ２の終了物理アドレス７０４を変換情報としてメモリ１０７に保存する。そして、記録層Ｌ０、記録層Ｌ１、記録層Ｌ２の順番で使用され、Ｌ０の開始物理アドレス７０３が全データ記録開始アドレス、Ｌ２の終了物理アドレス７０４が全データ記録終了アドレスとなる。図１３は、光ディスクにデータを記録する従来の方法である。同図においては、光ディスク１０１の内周側から１つの記録層に記録が行われている。詳しくは、記録データがＬ０の最内周から割り当てられ、６０１が全データ記録開始アドレス、６０２が全データ記録終了アドレスとなっている。図３を図１３の従来の方法と比較すると、図３では、記録速度の速い光ディスク１０１のデータゾーンの最外周を含む連続領域が使用され、また、使用する記録層数の異なる複数種類の使用パターンのうち、算出される総記録時間が最も短いパターンが使用されているので、図１３の方法よりも記録時間が短縮される。
【００９９】
図１４は、データゾーンに既にデータが記録されている光ディスク１０１に対して記録データを追記する場合に（Ｓ１２０１）で選定された使用パターンの例を示す。同図の光ディスク１０１には、記録データを追記する前に、図１３の従来のデータ記録方法での記録と、図３の使用パターンでの記録とが既に行われている。そして、この光ディスク１０１の残りの領域、すなわちデータの記録されていない領域が、記録データの追記に割り当てられている。また、光ディスク１０１の３つの記録層において、データゾーンの未記録領域における最外周を含む連続領域が記録データの記録に割り当てられており、記録データが３分割されて記録されている。記録層Ｌ０、記録層Ｌ１、記録層Ｌ２の順番で使用され、Ｌ０の開始物理アドレス８０１が全データ記録開始アドレス、Ｌ２の終了物理アドレス８０２が全データ記録終了アドレスとなっている。
【０１００】
本実施形態によれば、総記録時間が最も短くなる使用パターンに従って記録データの記録が行われるので、総記録時間が短縮される。
【０１０１】
また、記録データが外周側に記録されるので、スピンドルモータの回転数が抑えられ、消費電力が削減されるとともに、ＣＡＶ制御方式又はＺＣＬＶ制御方式で再生する場合に記録データへのアクセス時間が短くなる。
【０１０２】
《実施形態１の変形例》
なお、上記実施形態１では、データ記録の対象となる光ディスク１０１を、オポジットトラックパス方式としたが、パラレルトラックパス方式としてもよい。この場合、上記（Ｓ１２１２）における使用パターンの特定に、上記（ｂ）の条件、すなわち記録方向が等しい記録層間の直接の層間移動が行われないという条件が考慮されないようにすればよい。
【０１０３】
また、上記実施形態１では、（Ｓ１２１２）において、光ディスク記録再生装置１００が、半径位置と線速度の関係を示すグラフを記録倍速に基づいて導出し、当該グラフに基づいて実記録時間を算出していた。しかし、実記録時間の算出方法はこれに限られない。例えば、光ディスク記録再生装置１００が対応可能な記録倍速が１種類であり、上記グラフの導出動作が行われず、あらかじめ記憶されたグラフが実記録時間の導出のために参照されるようにしてもよい。
【０１０４】
また、上記実施形態１では、記録可能領域の最外周を含む領域に記録データが割り当てられていた。すなわち、実記録時間が最も短くなるように記録データが割り当てられていた。しかし、これに限らず、記録可能領域の内周側から順に記録データを割り当てる図１３のような場合に比べて実記録時間が短くなるように割り当てるようにすればよい。
【０１０５】
また、データ記録の開始から終了までに実記録時間以外に要する時間であれば、シーク時間と記録学習時間以外の時間を記録中断時間に含めてもよい。
【０１０６】
また、アクセス論理アドレス、記録データの容量、及び記録倍速がホスト装置１２０から光ディスク記録再生装置１００に送信されるようになっていたが、送信される情報はこれらに限定されない。例えば、光ディスク記録再生装置１００の対応記録倍速が１種類の場合、記録倍速が送信されないようにしてもよい。
【０１０７】
また、上記実施形態１のデータ記録領域割り当て処理及びデータ連結処理は、光ディスクの全面に対してＣＡＶ制御方式で記録を行う場合に限らず、光ディスクの一部の領域に対してＣＡＶ以外の制御方式で記録を行い、残りの領域に対してのみＣＡＶ制御方式で記録を行う場合にも適用できる。
【０１０８】
また、上記実施形態１では、制御装置１１４の機能が複数の処理部によって実現されているが、当該機能を実現するための構成はこれに限定されず、例えば１チップのＬＳＩ（Large Scale Integration）によって実現されてもよい。
【０１０９】
《実施形態２》
本発明の実施形態２に係る光ディスク記録システムは、実施形態１の光ディスク記録再生装置１００に代えて、図１５に示す光ディスク記録再生装置２００を備えている。光ディスク記録再生装置２００は、図１５に示すように、実施形態１の光ディスク記録再生装置１００の構成に加え、領域分割部２０１及び優先度決定部２０２を備えている。また、光ディスク記録再生装置２００は、データ分割部１１０、及び記録時間演算部１１１を備えていない。また、信号処理部１０６、メモリ１０７、システムコントローラ１０８、記録可能領域判別部１０９、アドレス変換部１１２、領域分割部２０１、及び優先度決定部２０２により、光ピックアップ１０３を間接的に制御する制御装置２１４が構成されている。この制御装置２１４が光ディスク、磁気ディスク、または、不揮発性の半導体メモリー（あらゆる種類のＲＯＭ（リードオンリーメモリー）が含まれる）等の情報記録媒体に記録されたプログラムを実行することにより、光ディスク記録再生装置２００の機能が実現される。なお、制御装置２１４が、情報記録媒体に記録されたプログラムを、ＲＡＭ（ランダムアクセスメモリー）等の揮発性の半導体メモリーに読み込んでから実行するようにしてもよい。
【０１１０】
領域分割部２０１は、記録可能領域判別部１０９によって保存された記録可能領域特定情報を、メモリ１０７からシステムコントローラ１０８経由で受信する。そして、受信した記録可能領域特定情報により特定される記録可能領域を半径方向に分割して複数の分割Ｚｏｎｅ（分割領域）を特定する。
【０１１１】
優先度決定部２０２は、領域分割部２０１によって特定された各分割Ｚｏｎｅの優先度を決定する。
【０１１２】
ここで、図１６は、ＺＣＬＶ制御方法を採用した場合における光ディスク１０１の分割Ｚｏｎｅを示している。分割ＺｏｎｅはＺｏｎｅ０からＺｏｎｅ４まで５つあり、Ｚｏｎｅ０は光ディスクのインナーゾーン、Ｚｏｎｅ４はアウターゾーンに割り当てられ、Ｚｏｎｅ１からＺｏｎｅ３はデータゾーンに割り当てられている。各分割Ｚｏｎｅの記録再生は、一定の線速度で行われる。Ｚｏｎｅ０、Ｚｏｎｅ１は低速度で、Ｚｏｎｅ２は中速度で、Ｚｏｎｅ３、Ｚｏｎｅ４は高速度で記録再生される。各分割Ｚｏｎｅの開始アドレスは予めメモリ１０７に保存され、メモリ１０７から開始アドレスを読み出すことによって各分割ゾーンが特定される。図１７、図１８、図１９においても、図１６と同様に、光ディスク１０１の記録領域がＺｏｎｅ０からＺｏｎｅ４に半径方向に分割されている。
【０１１３】
また、本実施形態の光ディスク記録システムは、ＺＣＬＶ制御方式で記録データを光ディスク１０１に記録する場合、上記実施形態１の（Ｓ１２１２）〜（Ｓ１２１６）の処理に代えて、図２０に示す（Ｓ２２１１）、（Ｓ２２１２）の処理を行う。その他の処理については、実施形態１の光ディスク記録システムがＣＡＶ制御方式で記録を行う場合の動作と同様であるので、その詳細な説明を省略する。
【０１１４】
（Ｓ２２１１）領域分割部２０１が、分割した記録データの記録に使用する使用領域を特定する。
【０１１５】
詳しくは、まず、領域分割部２０１が、メモリ１０７から記録データの容量を読み出す。そして、Ｚｏｎｅ３、Ｚｏｎｅ２、Ｚｏｎｅ１の順、すなわち線速度の高い分割Ｚｏｎｅから順に、各分割Ｚｏｎｅ内の記録可能領域を、記録データを記録する使用領域として特定する。当該特定は、特定される使用領域の容量の合計が、メモリ１０７から読み出した記録データの容量分になるように行う。１つの分割Ｚｏｎｅ内では、Ｌ０、Ｌ１、Ｌ２の順で記録可能領域を使用領域として特定する。つまり、使用領域の特定は、Ｚｏｎｅ３のＬ０、Ｚｏｎｅ３のＬ１、Ｚｏｎｅ３のＬ２、Ｚｏｎｅ２のＬ０、Ｚｏｎｅ２のＬ１、Ｚｏｎｅ２のＬ２、Ｚｏｎｅ１のＬ０、Ｚｏｎｅ１のＬ１、Ｚｏｎｅ１のＬ２の順で行われる。
【０１１６】
図１７は、未記録状態の光ディスク１０１に対して記録を行う場合に特定される使用領域の例であり、Ｌ０のＺｏｎｅ３の先頭アドレスから順に使用領域として特定され、Ｌ１のＺｏｎｅ３の途中までの領域が使用領域として特定されている。
【０１１７】
図１８は、図１３の従来の方法での記録と、図１７で特定された使用領域に対する記録とが既に行われた光ディスク１０１に対して追記を行う場合に特定される使用領域の例である。Ｌ１のＺｏｎｅ３の途中からＬ２のＺｏｎｅ３の途中までの領域が使用領域として特定されている。
【０１１８】
図１９は、図１８で特定された使用領域にデータが既に記録されている光ディスク１０１に対して追記を行うときの使用領域の特定例である。Ｌ２のＺｏｎｅ３の途中から最後までの領域と、Ｌ０のＺｏｎｅ２の途中からＬ２のＺｏｎｅ２の途中までの領域が使用領域として特定されている。
【０１１９】
（Ｓ２２１２）優先度決定部２０２が、特定した各使用領域の物理開始アドレスと物理終了アドレスとを特定する。また、Ｌ０の内周→Ｌ０の外周→Ｌ１の外周→Ｌ１の内周→Ｌ２の内周→Ｌ２の外周という順番で記録が進むように、確保した使用領域の優先度、すなわち使用順序を決定する。そして、各使用領域の物理開始アドレス及び物理終了アドレスと、使用領域の使用順序とを、アクセス論理アドレスを物理アドレスに変換するときに用いる変換情報としてメモリ１０７に保存する。
【０１２０】
図１７において、全データ記録開始アドレスは９０２になり、全データ記録終了アドレスは９０１になる。図１８において、全データ記録開始アドレスは１００２になり、全データ記録終了アドレスは１００１になる。図１９において、全データ記録開始アドレスは１１０４になり、全データ記録終了アドレスは１１０３になり、１１０１から１１０２まではシーク処理が行われる。
【０１２１】
本実施形態の光ディスク記録システムの他の構成及び動作は、実施形態１と同じであるので、その詳細な説明を省略する。
【０１２２】
本実施形態によれば、線速度の高い分割Ｚｏｎｅが優先的に記録データの記録に使用されるので、総記録時間が短縮される。
【０１２３】
また、記録データが外周側に記録されるので、スピンドルモータの回転数が抑えられ、消費電力が削減されるとともに、ＣＡＶ制御方式又はＺＣＬＶ制御方式で再生する場合に記録データへのアクセス時間が短くなる。
【０１２４】
また、通常、記録対象の記録層と光ピックアップ１０３との間の記録層が既記録か未記録かに応じて記録状態にばらつきが生じる等、記録対象の記録層が光ピックアップ１０３から遠く離れる程、記録品質が悪くなる傾向にある。本実施形態によれば、１つの分割Ｚｏｎｅ内では、光ピックアップ１０３に近い記録層から優先的に記録データの記録に使用されるので、光ピックアップ１０３から遠い記録層に記録データが低品質で記録される可能性が低くなる。
【０１２５】
《実施形態２の変形例》
なお、上記実施形態２では、データ記録の対象となる光ディスク１０１を、オポジットトラックパス方式としたが、パラレルトラックパス方式としてもよい。この場合、上記（Ｓ２２１２）において、例えば、Ｌ０の内周→Ｌ０の外周→Ｌ１の内周→Ｌ１の外周→Ｌ２の内周→Ｌ２の外周という順番で記録が進むように使用順序を決定する。
【０１２６】
また、上記実施形態２では、記録再生速度の異なる３つの分割Ｚｏｎｅをデータゾーンが有していたが、データゾーンに含まれる分割Ｚｏｎｅの数は、２つ又は４つ以上であってもよい。
【０１２７】
また、上記実施形態２では、光ディスク１０１のデータゾーンにおいて、線速度が外周側に向かって高くなるように分割Ｚｏｎｅが並んでいたが、分割Ｚｏｎｅが他の順序で並んでいる場合にも、線速度の高い分割Ｚｏｎｅから順に使用領域として特定することにより、総記録時間短縮の効果を得ることができる。
【０１２８】
また、上記実施形態２では、上記（Ｓ２２１２）において、使用領域の使用順序がＬ０の内周→Ｌ０の外周→Ｌ１の外周→Ｌ１の内周→Ｌ２の内周→Ｌ２の外周という順序に決定されていたが、データゾーン内を正しく走査できる順序であればこれに限られない。
【０１２９】
また、上記実施形態２では、上記（Ｓ２２１１）において、１つの分割Ｚｏｎｅ内で、Ｌ０、Ｌ１、Ｌ２の順に記録可能領域が使用領域として特定されていたが、特定の順序はこれに限られない。また、１つの分割Ｚｏｎｅ内で全ての記録層の記録可能領域が使用領域として特定されるまでに、別の分割Ｚｏｎｅ内の記録可能領域が使用領域として特定されるようにしてもよい。
【０１３０】
また、上記実施形態２では、制御装置２１４の機能が複数の処理部によって実現されているが、当該機能を実現するための構成はこれに限定されず、例えば１チップのＬＳＩによって実現されてもよい。
【０１３１】
《実施形態３》
本発明の実施形態３に係る光ディスク記録システムでは、（Ｓ１１０４）において、ホスト装置１２０が記録データの容量を光ディスク記録再生装置１００に通知しない。また、本実施形態の光ディスク記録システムは、ＣＡＶ制御方式で記録データを光ディスク１０１に記録する場合、上記実施形態２の（Ｓ１２１１）、（Ｓ２２１１）、（Ｓ２２１２）の処理に代えて、図２１に示す（Ｓ３２１１）〜（Ｓ３２１３）の処理を行う。
【０１３２】
（Ｓ３２１１）領域分割部２０１は、データゾーンを半径方向に分割することによって、２つの分割Ｚｏｎｅを分割領域として特定する。
【０１３３】
図２２は、光ディスク１０１のデータゾーンにおいて特定される分割領域の例を示す。データゾーンは、ＣＡＶ制御方式における線速度がＤａｔａ  Ｚｏｎｅ全体の平均線速度と等しくなる半径位置を分割点として、低優先度Ｚｏｎｅと高優先度Ｚｏｎｅの２つの分割Ｚｏｎｅに分割される。１６０１は、分割点の半径位置である。そして、高優先度ＺｏｎｅのＬ０、Ｌ１、Ｌ２各層における開始アドレスがメモリ１０７に保存される。なお、図２３、図２４においても、図２２と同様に、データゾーンが低優先度Ｚｏｎｅと高優先度Ｚｏｎｅとに分割されている。
【０１３４】
（Ｓ３２１２）優先度決定部２０２が、各分割Ｚｏｎｅの優先度を、外周側の分割Ｚｏｎｅが内周側の分割Ｚｏｎｅよりも優先度が高くなるように決定する。図２２の例では、高優先度Ｚｏｎｅの優先度が低優先度Ｚｏｎｅの優先度よりも高く決定される。つまり、優先度決定部２０２は、線速度の高い分割Ｚｏｎｅの優先度が線速度の遅い分割Ｚｏｎｅの優先度よりも高くなるように優先度を決定する。
【０１３５】
次に、優先度決定部２０２は、記録可能領域特定情報をメモリ１０７から読み出す。さらに、複数の分割Ｚｏｎｅについて、使用順序を決定する。この使用順序は、優先度の高い分割Ｚｏｎｅから順に使用されるように決定される。また、優先度の等しい分割Ｚｏｎｅについては、裏面側の記録層の分割Ｚｏｎｅから順に使用されるように決定される。
【０１３６】
図２２では、高優先度Ｚｏｎｅが、低優先度Ｚｏｎｅよりも先に使用されるように使用順序が決定される。また、同一の分割Ｚｏｎｅ内では、Ｌ０、Ｌ１、Ｌ２の順に使用されるように決定される。つまり、使用順序は、高優先度ＺｏｎｅのＬ０、Ｌ１、Ｌ２、低優先度ＺｏｎｅのＬ０、Ｌ１、Ｌ２の順になる。
【０１３７】
図２３は、未記録状態の光ディスク１０１における分割Ｚｏｎｅの使用順序の例であり、この使用順序では、Ｌ０の高優先度Ｚｏｎｅが１番目、Ｌ１の高優先度Ｚｏｎｅが２番目、Ｌ２の高優先度Ｚｏｎｅが３番目、Ｌ０の低優先度Ｚｏｎｅが４番目、Ｌ１の低優先度Ｚｏｎｅが５番目、Ｌ２の低優先度Ｚｏｎｅが６番目になっている。
【０１３８】
図２４は、図２３の使用領域に記録が行われた光ディスク１０１に対して追記を行う場合における分割Ｚｏｎｅの使用順序の例であり、Ｌ０の高優先度Ｚｏｎｅは記録済みであるため使用できない。この使用順序では、Ｌ１の高優先度Ｚｏｎｅが１番目、Ｌ２の高優先度Ｚｏｎｅが２番目、Ｌ０の低優先度Ｚｏｎｅが３番目、Ｌ１の低優先度Ｚｏｎｅが４番目、Ｌ２の低優先度Ｚｏｎｅが５番目になっている。
【０１３９】
（Ｓ３２１３）アドレス変換部１１２は、（Ｓ３２１２）で使用順序が決定された各分割Ｚｏｎｅに含まれる記録可能領域の開始物理アドレス及び終了物理アドレスを特定する。この後の処理においては、各分割Ｚｏｎｅの記録可能領域の開始物理アドレス及び終了物理アドレス、記録可能領域の使用順序（分割Ｚｏｎｅの使用順序）が、実施形態２における使用領域の開始物理アドレス及び終了物理アドレス、使用領域の使用順序として扱われる。
【０１４０】
また、アドレス変換部１１２は、１番目に使用される記録可能領域の開始物理アドレスを記録開始物理アドレスとして設定する。そして、記録開始物理アドレス、各記録可能領域の開始アドレス及び終了アドレスを、アクセス論理アドレスの物理アドレスへの変換に用いる変換情報として、メモリ１０７に保存する。
【０１４１】
その後、アドレス変換部１１２は、ホスト装置１２０から送信されたアクセス論理アドレス（開始論理アドレス）をメモリ１０７から読み出し、当該アクセス論理アドレスを、１番目に使用される記録可能領域の開始物理アドレス、すなわち記録開始物理アドレスに変換する。
【０１４２】
そして、（Ｓ３２１２）で決定された使用順序によって記録データの記録が行われる。図２３及び図２４の例では、記録データの記録に使用される各記録層で１つの分割Ｚｏｎｅが記録データの記録に使用されている。
【０１４３】
また、（Ｓ１２０５）において、光ディスク記録再生装置１００のメモリ１０７には、記録データの容量が保存されていない。したがって、システムコントローラ１０８は、ホスト装置１２０からのデータ記録の通知を確認することにより、データ記録を終了するか否かを決定する。終了しない場合には（Ｓ１２０６）に進み、終了する場合には（Ｓ１２０７）に進む。
【０１４４】
その他の処理については、実施形態２の光ディスク記録システムがＺＣＬＶ制御方式で記録を行う場合の動作と同様であるので、その詳細な説明を省略する。
【０１４５】
本実施形態の光ディスク記録システムの他の構成及び動作は、実施形態２と同じであるので、その詳細な説明を省略する。
【０１４６】
本実施形態によれば、線速度の高い分割Ｚｏｎｅが優先的に記録データの記録に使用されるので、総記録時間が短縮される。
【０１４７】
また、記録データが光ディスク１０１の外周側に記録されるので、スピンドルモータの回転数が抑えられて消費電力が削減されるとともに、ＣＡＶ制御方式又はＺＣＬＶ制御方式で再生する場合に記録データへのアクセス時間が短くなる。
【０１４８】
また、上記実施形態２と同様に、光ピックアップ１０３から遠い記録層に記録データが再生困難な状態で記録される可能性が低くなる。
【０１４９】
《実施形態３の変形例１》
なお、上記実施形態３では、領域分割部２０１が、線速度がデータゾーン全体の平均線速度と等しくなる半径位置を分割点としてデータゾーンを２分割していたが、分割方法はこれに限られない。
【０１５０】
本変形例では、図２５に示すように、光ディスク１０１のデータゾーンの外周部分を外周側から順に、分割Ｚｏｎｅ１、分割Ｚｏｎｅ２、分割Ｚｏｎｅ３、…に分割する。かかる場合、同図においてカッコ書きの数字で示す順、すなわち記録層Ｌ０の分割Ｚｏｎｅ１、記録層Ｌ１の分割Ｚｏｎｅ１、記録層Ｌ２の分割Ｚｏｎｅ１、記録層Ｌ０の分割Ｚｏｎｅ２、記録層Ｌ１の分割Ｚｏｎｅ２、記録層Ｌ２の分割Ｚｏｎｅ２、記録層Ｌ０の分割Ｚｏｎｅ３、記録層Ｌ１の分割Ｚｏｎｅ３、記録層Ｌ２の分割Ｚｏｎｅ３、…の順で記録が行われる。また、論理アドレスは、図２５の下側の表で示すようになる。
【０１５１】
ここで、図２６に示すように、データゾーン内の所定の領域Ａを同じ面積を有する分割領域１，２に半径方向に分割する場合について考える。なお、図２６は、光ディスク１０１の４分の１の領域を示している。
【０１５２】
ここで、分割領域１の面積をＳ１とし、分割領域２の面積をＳ２、分割領域１の半径方向の幅をｗ１、分割領域２の半径方向の幅をｗ２、分割領域１の外周縁の半径位置（光ディスク１０１の中心からの距離）をｒとする。
【０１５３】
Ｓ１及びＳ２は、以下の式［数１］［数２］で表される。
【０１５４】
【数１】
2010041357.tif 000003
【０１５５】
【数２】
2010041357.tif 000004
【０１５６】
また、上記式［数１］［数２］により、ｗ２は、以下の式［数３］で表される。
【０１５７】
【数３】
2010041357.tif 000005
【０１５８】
ここで、２つの記録層の分割領域１に対して記録データを記録する場合の総記録時間が同一記録層の領域Ａ（分割領域１及び分割領域２）に対して記録データを記録する場合の総記録時間以下となる条件は、以下の式［数４］で表される。ここでｖは、光ピックアップ１０３の半径方向走査速度である。
【０１５９】
【数４】
2010041357.tif 000006
【０１６０】
式［数４］において、ｔｍは、２つの記録層間の移動を行うことにより必要となる時間であり、層間ジャンプ時間を含むものである。
【０１６１】
また、式［数４］に式［数３］を代入することにより以下の式［数５］が導かれる。
【０１６２】
【数５】
2010041357.tif 000007
【０１６３】
本変形例では、領域分割部２０１が、各分割Ｚｏｎｅの幅ｗ１’を、データゾーンの外周側から順に、当該分割Ｚｏｎｅの幅ｗ１’と当該分割Ｚｏｎｅと同じ面積で内周側に隣接する隣接領域の幅ｗ２’とが以下の式［数６］を満たすように設定する。上記式［数４］より、式［数６］におけるｔが、上記ｔｍよりも大きい値であれば、分割による記録時間短縮効果を得ることができる。
【０１６４】
【数６】
2010041357.tif 000008
【０１６５】
例えば、ｖが０．０５７５［mm／ｓ］、データゾーンの最外周位置の半径位置が５８．５[mm]、式[数６]のｔが１［ｓ］である場合、領域分割部２０１は、光ディスク１０１のデータゾーンを以下の表１に示すＺｏｎｅ１〜Ｚｏｎｅ２４に分割する。表１は、各Ｚｏｎｅの幅と内周縁の半径位置を示している。例えば、Ｚｏｎｅ１は、幅１．７７７［mm]のドーナツ状の領域であり、その内周縁のディスク中心からの距離は５６．７２３［mm］である。
【０１６６】
【表１】
2010041357.tif 000009
【０１６７】
Ｚｏｎｅ１の幅は、上記式［数５］より、以下の式[数７]にｖ、ｔ、ｒの値を代入することによって算出できる。
【０１６８】
【数７】
2010041357.tif 000010
【０１６９】
また、ｔが２［ｓ］に設定された場合には、領域分割部２０１は、光ディスク１０１のデータゾーンを以下の表２に示すＺｏｎｅ１〜Ｚｏｎｅ１７に分割する。
【０１７０】
【表２】
2010041357.tif 000011
【０１７１】
また、ｖが０．１１５［mm／ｓ］、データゾーンの最外周位置の半径位置が５８．５[mm]であり、ｔが２［ｓ］に設定された場合には、領域分割部２０１は、光ディスク１０１のデータゾーンを以下の表３に示すＺｏｎｅ１〜Ｚｏｎｅ１３に分割する。
【０１７２】
【表３】
2010041357.tif 000012
【０１７３】
上記表１〜３に示すように、本変形例の分割方法では、分割Ｚｏｎｅの半径方向の幅が、外周側から内周側に向かって徐々に狭くなっている。
【０１７４】
（Ｓ３２１１）における分割領域の特定を本変形例の方法で行うことにより、記録時間短縮効果を確実に得ることができる。
【０１７５】
また、光ディスクの全面に対してＣＡＶ制御方式で記録を行う場合に限らず、光ディスクの一部の領域に対してＣＡＶ以外の制御方式で記録を行い、残りの領域に対してのみＣＡＶ制御方式で記録を行う場合にも、ＣＡＶ制御方式で記録を行う領域について本変形例の方法で分割領域を特定してもよい。
【０１７６】
《実施形態３の変形例２》
なお、上記実施形態３では、優先度決定部２０２が、各分割Ｚｏｎｅの優先度をその分割Ｚｏｎｅの半径位置、すなわちその分割Ｚｏｎｅの線速度に基づいて決定していたが、各分割Ｚｏｎｅにおける記録可能領域の容量に基づいて決定するようにしてもよい。
【０１７７】
また、上記実施形態３では、データゾーンを２つの分割Ｚｏｎｅに分割していたが、３つ以上の分割Ｚｏｎｅに分割するようにしてもよい。
【０１７８】
また、必ずしも外周側の分割Ｚｏｎｅ程優先度が高くなるようにしなくてもよい。例えば、データゾーンの最外周を含まない分割Ｚｏｎｅの優先度を、最外周を含む分割Ｚｏｎｅの優先度よりも高くするようにしてもよい。多くの光ディスクにおいては、最外周を含む分割Ｚｏｎｅが内周側の分割Ｚｏｎｅよりも記録失敗の可能性が高くなっている。一般に、光ディスクの外周側には光ディスクの反りや歪みの影響が現れやすく、さらに、色素の塗布によって光ディスクの記録層が形成される場合、外周側で色素にムラが生じやすいからである。このような光ディスクに対して記録を行う場合には、上記のように最外周を含まない分割Ｚｏｎｅを優先的に使用することにより、記録精度を向上させることができる。また、記録中に回転制御方式が切り替わる場合、その際の切替処理に時間がかかって総記録時間が長くなるという問題があるが、回転制御方式の変化箇所が最外周を含む分割Ｚｏｎｅに含まれる場合には、上記のように最外周を含まない分割Ｚｏｎｅを優先的に使用することにより、記録中に回転制御方式の切替処理を行う必要が生じにくくなる。
【０１７９】
また、線速度及び記録精度の両方を考慮し、データゾーンの最外周及び最内周を含まない分割Ｚｏｎｅの優先度を、最外周を含む分割Ｚｏｎｅ及び最内周を含む分割Ｚｏｎｅの優先度よりも高くするようにしてもよい。
【０１８０】
また、上記実施形態３では、データ記録の対象となる光ディスク１０１を、オポジットトラックパス方式としたが、パラレルトラックパス方式としてもよい。
【０１８１】
また、上記実施形態３では、ＣＡＶ制御方式で記録を行う場合について説明したが、ＣＬＶ制御方式、ＺＣＬＶ制御方式、ＺＣＡＶ制御方式等、他のスピンドルモータ制御方式で記録を行う場合であっても、各分割領域の特性に基づいて各分割領域の優先度を決定するようにしてもよい。
【０１８２】
また、上記実施形態３では、（Ｓ３２１２）において、優先度の等しい分割Ｚｏｎｅについては、Ｌ０、Ｌ１、Ｌ２の順で使用されるように使用順序が決定されたが、使用順序はこれに限られない。例えば、記録データに必要な転送レートの大きさに応じて使用順序を設定してもよい。また、トラック走査方向に基づいて、シーク時間が短くなるように使用順序を設定してもよい。
【０１８３】
《実施形態４》
本発明の実施形態４に係る光ディスク記録システムは、実施形態１のホスト装置１２０に代えて、図２７に示すホスト装置４２０を備えている。ホスト装置４２０は、図２７に示すように、実施形態１のホスト装置１２０の構成に加え、領域分割部４２１、半径位置特定部４２２、優先度決定部４２３、及びデータ分割連結部４２４を備えている。また、実施形態１のメイン処理部１２６に代えて、メイン処理部（連結情報受信部）４２６を備えている。
【０１８４】
領域分割部４２１は、光ディスク１０１のデータゾーンの記録可能領域を、データを記録する使用領域とデータを記録しない不使用領域とに分割する。すなわち、データの記録に用いる使用領域を特定する。
【０１８５】
半径位置特定部４２２は、光ディスク管理情報に基づいて、アクセス論理アドレスに対応する光ディスク１０１における半径位置を特定する。
【０１８６】
優先度決定部４２３は、領域分割部４２１によって特定された使用領域の使用優先度を決定する。
【０１８７】
データ分割連結部４２４は、光ディスク１０１に記録する記録データを分割するとともに、光ディスク１０１から読み出された分割データを連結する。
【０１８８】
また、本実施形態４の光ディスク記録システムは、光ディスク記録再生装置１００に代えて、光ディスク記録再生装置４００を備えている。光ディスク記録再生装置４００は、図２の光ディスク記録再生装置１００と対比すると、データ分割部１１０、及び記録時間演算部１１１を備えておらず、アドレス変換部１１２は、従来と同様に、システムコントローラ１０８経由でホスト装置４２０から受信したアクセス論理アドレスを、図５に示したような対応関係で物理アドレスに変換する。例えば、論理アドレスが０から開始する場合、論理アドレス０をＬ０最内周の物理アドレスに変換する。
【０１８９】
本実施形態のホスト装置４２０は、ユーザによる動作指示が記録指示である場合、図６の（Ｓ１００４）において、図７及び図８の処理に代えて、図２８のフローチャートに示す動作を行う。以下、図２８のフローチャートの動作について説明する。
【０１９０】
（Ｓ４１０１）メイン処理部４２６が、メモリ１２３から光ディスク管理情報を受信し、記録可能領域特定部１２７が、メイン処理部４２６により受信された光ディスク管理情報に基づいて記録可能領域を特定する。
【０１９１】
（Ｓ４１０２）システムコントローラ１２２が、ユーザによって記録指示された記録データの容量を特定し、メイン処理部４２６に送信する。
【０１９２】
（Ｓ４１０３）領域分割部４２１が、メイン処理部４２６による指示に応じて、記録可能領域を、記録データの記録に使用する使用領域と記録データの記録に使用しない不使用領域とに分割する。言い換えると、領域分割部４２１は、記録可能領域から使用領域を特定する。当該分割は、使用領域の容量が記録データの容量とデータ連結情報の容量とを合計した容量となるように行われる。また、使用領域として、半径位置特定部４２２によって半径位置を特定された記録可能領域の最外周部分を含み、かつ記録可能領域の最内周部分を含まない領域が特定される。
【０１９３】
ここで、データ連結情報は、分割して記録されたデータを１つのデータトラックとしてホスト装置４２０が認識するために必要な情報である。本実施形態４では、各分割データの開始アドレス、分割データ容量、分割データの連結順、及び判別コードが、データ連結情報として、記録データの直前の領域に記録される。判別コードは、記録データとデータ連結情報とを識別するためのコードであり、光ディスク１０１に記録されたデータが再生される場合にホスト装置４２０によって参照される。
【０１９４】
（Ｓ４１０４）優先度決定部４２３は、記録に使用する使用領域の使用優先度を決定する。使用優先度は、開始論理アドレスの小さいものほど高くなるように決定される。使用領域についての情報（分割領域の数、各分割領域の開始論理アドレス、各分割領域の終了論理アドレス、使用優先度）はメモリ１２３に保存される。
【０１９５】
図２９は、論理アドレス空間において特定された使用領域と該使用領域を構成する各分割領域の使用優先度とを表している。図２９（Ａ）は、未記録状態の光ディスク１０１に対して記録データを記録する場合の使用領域と、使用領域を構成する各分割領域の使用優先度を示す。使用優先度は（１）、（２）の順になる。図２９（Ｂ）は、既にいくつかのデータが記録済みの光ディスク１０１に対してデータを追記する場合の使用領域と使用領域を構成する各分割領域の使用優先度を示す。使用優先度は（１）、（２）、（３）の順になる。
【０１９６】
（Ｓ４１０５）メイン処理部４２６が、メモリ１２３から使用領域についての情報を読み出し、使用領域が分割されているか否かを確認し、使用領域が分割されている場合には、記録データの分割が必要と判断する。この場合、（Ｓ４１０６）の処理に進む。一方、使用領域が分割されていない場合には、記録データの分割が必要でないと判断する。この場合、（Ｓ４１０７）の処理に進む。  
【０１９７】
（Ｓ４１０６）データ分割連結部４２４が、使用領域を構成する各分割領域の大きさに合わせて記録データを分割する。分割後の各分割データと各分割データについての情報（記録する順番、容量）とがメモリ１２３に保存される。図２９（Ａ）では、使用領域が２つの分割領域に分割されているので、各分割領域の大きさに合わせて記録データを２つに分割する。図２９（Ｂ）では、使用領域が３つの分割領域に分割されているので、各分割領域の大きさに合わせて記録データを３つに分割する。
【０１９８】
（Ｓ４１０７）システムコントローラ１２２は、メイン処理部４２６からデータ記録情報（光ディスク１０１に記録するデータ、光ディスク記録論理アドレス）を受け取り、光ディスク記録再生装置１００に対し、このデータ記録情報を送信するとともにデータ記録の指示を行う。この指示は、（Ｓ４１０６）においてデータ分割がなされている場合、使用領域に含まれる複数の分割領域が、使用優先度の高い分割領域から順に記録に使用されるよう行われる。図２９（Ａ）においては、（１）、（２）の順で使用されるように指示が行われ、図２９（Ｂ）においては、（１）、（２）、（３）の順で使用されるように指示が行われる。
【０１９９】
（Ｓ４１０８）システムコントローラ１２２は、光ディスク記録再生装置４００からデータ記録完了の通知を受け取り、データ連結情報の記録を光ディスク記録再生装置４００に対して指示する。これにより、データ連結情報が使用領域（記録データ）の直前の領域に記録される。図２９にデータ連結情報の記録領域を示す。
【０２００】
また、本実施形態において、ユーザによる動作指示が再生指示である場合であって、再生指示の対象となっているデータが分割されて複数の分割領域に記録されている場合には、図６の（Ｓ１００１）において、光ディスク記録再生装置４００が、実施形態１で説明した動作に加え、前記分割領域の再生順序を示す情報として前記データ連結情報を光ディスク１０１から読み出す。そして、ホスト装置４２０のメイン処理部４２６が、前記データ連結情報を光ディスク記録再生装置４００から受信し、ホスト装置４２０のデータ分割連結部４２４が、メイン処理部４２６により受信されたデータ連結情報に基づいて、分割データを連結順に繋げて１つのデータトラックとする処理を行う。また、図１２の（Ｓ１３０２）では、メイン処理部４２６が、データ連結情報で示される再生順序に従って分割データの再生指示を光ディスク記録再生装置４００に対して行う。
【０２０１】
本実施形態によれば、ＣＡＶ制御方式を採用した場合、記録データが光ディスク１０１の外周側、すなわち線速度の高い領域に記録されるので、記録時間が短縮される。また、記録データの再生にかかる再生時間も短縮される。
【０２０２】
また、ＣＬＶ制御方式を採用した場合、記録データの記録時及び再生時におけるスピンドルモータの回転数が少なくなるため、消費電力が削減されるとともにスピンドルモータの動作音が小さく抑えられる。
【０２０３】
《実施形態４の変形例》
なお、上記実施形態４では、記録可能領域の最外周部分を含み、かつ記録可能領域の最内周部分を含まない領域が使用領域として特定されていた。しかし、使用領域として特定される領域はこれに限らず、記録再生時間又はスピンドルモータの回転数が所望の値になるよう使用領域が特定されればよい。
【０２０４】
また、上記実施形態４では、データ連結情報が、各分割データの開始アドレス、分割データ容量、分割データの連結順、及び判別コードによって構成されていた。しかし、分割して記録された記録データを１つのデータトラックとして再生することがデータ連結情報の参照により可能になるのであれば、データ連結情報のフォーマットはこれに限られない。
【０２０５】
また、上記実施形態４では、使用領域の直前の領域にデータ連結情報を記録していたが、データ連結情報の記録位置はこれに限られない。また、データ連結情報は、分割データと分離したデータに限られず、分割データそのものに組み込まれた情報であってもよい。
【０２０６】
《その他変形例》
上記実施形態１〜３では、（Ｓ１２２２）で記録される連結情報は、使用領域の開始物理アドレス及びデータサイズを使用順に並べたフォーマットであった。しかし、分割して記録された記録データを１つのデータトラックとして再生することが連結情報の参照により可能になるのであれば、連結情報のフォーマットはこれに限られない。
【０２０７】
また、上記実施形態１〜３において、光ディスク記録再生装置１００，２００の構成は、図２、図１５に示した構成に限定されず、各実施形態で説明した光ディスク記録再生装置１００，２００の各部の機能が実現されれば、他の構成であってもよい。
【０２０８】
また、上記実施形態１〜４において、ホスト装置１２０，４２０の構成は、図４、図２７に示した構成に限定されず、各実施形態で説明したホスト装置１２０，４２０の各部の機能が実現されれば、他の構成であってもよい。
【０２０９】
また、上記実施形態１〜４において、光ディスク１０１の構成は、図３、図５等に示した構成に限定されない。例えば、光ディスク１０１の記録層の数は３層に限定されず、２層以上であればよい。  
【産業上の利用可能性】
【０２１０】
本発明に係る光ディスク記録方法、光ディスク記録装置制御方法、光ディスク記録装置、ホスト装置、光ディスク記録制御プログラム、及び光ディスク記録装置制御プログラムは、光ディスクに対して記録データを割り当てる技術等として有用である。
【符号の説明】
【０２１１】
１００      光ディスク記録再生装置（光ディスク記録装置）
１０１      光ディスク
１０３      光ピックアップ
１１１      記録時間演算部（使用パターン選定部） 
１１４      制御装置
１２０      ホスト装置
１２２      システムコントローラ（容量特定部）
１２６      メイン処理部（容量通知部）
１２７      記録可能領域特定部
２００      光ディスク記録再生装置
２０１      領域分割部
２０２      優先度決定部
２１４      光ピックアップ
４００      光ディスク記録再生装置
４２０      ホスト装置
４２１      領域分割部（使用領域特定部）
４２６      メイン処理部（連結情報受信部）
【図１】
2010041357.tif 000013
【図２】
2010041357.tif 000014
【図３】
2010041357.tif 000015
【図４】
2010041357.tif 000016
【図５】
2010041357.tif 000017
【図６】
2010041357.tif 000018
【図７】
2010041357.tif 000019
【図８】
2010041357.tif 000020
【図９】
2010041357.tif 000021
【図１０】
2010041357.tif 000022
【図１１】
2010041357.tif 000023
【図１２】
2010041357.tif 000024
【図１３】
2010041357.tif 000025
【図１４】
2010041357.tif 000026
【図１５】
2010041357.tif 000027
【図１６】
2010041357.tif 000028
【図１７】
2010041357.tif 000029
【図１８】
2010041357.tif 000030
【図１９】
2010041357.tif 000031
【図２０】
2010041357.tif 000032
【図２１】
2010041357.tif 000033
【図２２】
2010041357.tif 000034
【図２３】
2010041357.tif 000035
【図２４】
2010041357.tif 000036
【図２５】
2010041357.tif 000037
【図２６】
2010041357.tif 000038
【図２７】
2010041357.tif 000039
【図２８】
2010041357.tif 000040
【図２９】
2010041357.tif 000041
【手続補正書】
【提出日】平成23年2月9日(2011.2.9)
【手続補正１】
【補正対象書類名】明細書
【補正対象項目名】全文
【補正方法】変更
【補正の内容】
【発明の詳細な説明】
【技術分野】
【０００１】
本発明は、ＢＤ−Ｒ、ＢＤ−ＲＥ等の光ディスクに対し、データを記録する光ディスク記録方法及び光ディスク記録装置や、当該光ディスク記録装置を制御する光ディスク記録装置制御方法及びホスト装置に関し、特に、光ディスクに対して記録データを割り当てる技術に関する。
【背景技術】
【０００２】
特許文献１では、記録データの記録終了位置がデータゾーンの最外周となるように記録開始アドレスを算出し、算出した記録開始アドレスで記録データの記録を開始することにより、記録データが高速で再生されるようにしている。
【０００３】
特許文献２に開示されたディスク記録再生装置は、スピンドルモータのトルクや回転数の制限により、高倍速記録対応光ディスクの内周に対して指定された線速度で記録を行えない場合に、所定位置よりも外周側のデータゾーンにのみ記録を行うようになっている。
【先行技術文献】
【特許文献】
【０００４】
【特許文献１】特開２００４−１３４０２２号公報
【特許文献２】特開２００６−１５５７１４号公報
【発明の概要】
【発明が解決しようとする課題】
【０００５】
特許文献１では、データゾーンの外周側から順に優先的に記録に使用するため、光ディスクの内周から外周へ向かって順に記録データを記録する場合に比べ、記録データの記録にかかる実記録時間が短くなる。
【０００６】
しかしながら、複数の記録層を有する光ディスクに対して記録を行う場合、データゾーンの外周側を優先的に使用することによって実記録時間を短くできても、フォーカス位置の切り替え、記録学習等にかかる時間が長くなり、総記録時間が長くなってしまう場合がある。
【０００７】
また、特許文献２でも、データゾーンにおける所定のデータ記録開始位置よりも外周側の領域にのみ記録を行うので、内周側の領域を使用する場合に比べて実記録時間を短くできるが、フォーカス位置の切り替え、記録学習等にかかる時間が長くなり、総記録時間が長くなってしまう場合がある。
【０００８】
本発明は、上記の点に鑑み、光ディスクに対する記録データの記録にかかる総記録時間を短縮することを目的とする。
【課題を解決するための手段】
【０００９】
上記の課題を解決するため、本発明の第１の実施態様は、複数の記録層を有する光ディスクに対し、半径位置に応じた複数種類の記録速度で記録データを記録する光ディスク記録処理において、前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定処理を備え、前記使用パターン選定処理によって選定された使用パターンに従って前記記録データの記録を行うことを特徴とする。
【００１０】
前記第１の実施態様により、記録データの記録にかかる総記録時間が短くなるように選定された使用パターンに従って記録データの記録が行われる。
【００１１】
また、本発明の第２の実施態様は、少なくとも１つの記録層を有する光ディスクへ記録データを記録する光ディスク記録処理において、前記光ディスクの各記録層のデータゾーンを半径方向に分割して複数の分割領域を特定する領域分割処理と、前記領域分割処理により特定された各分割領域の優先度を、各分割領域の特性に基づいて決定する優先度決定処理とを備え、前記優先度決定処理によって決定された優先度の高い分割領域から順に、前記記録データの記録に使用することを特徴とする。
【００１２】
前記第２の実施態様により、各分割領域の特性に基づいて決定された優先度の高い分割領域から順に、記録データの記録に使用される。したがって、例えば、線速度の高い分割領域の優先度を高く設定することにより、記録が速く行われるようにすることができる。
【００１３】
また、本発明の第３の実施態様は、ユーザによって記録を指示された記録データを光ディスク記録装置に送信するホスト装置による光ディスク記録装置制御処理であって、前記記録データの容量を特定する容量特定処理と、前記容量特定処理によって特定された記録データの容量を前記光ディスク記録装置に通知する容量通知処理とを備えていることを特徴とする。
【００１４】
前記第３の実施態様により、記録データの容量の通知を受けた光ディスク記録装置が、通知された記録データの容量に基づいて、記録データの使用領域を特定することができる。
【００１５】
また、本発明の第４の実施態様は、データをＣＡＶ制御方式で記録する光ディスク記録装置に対し、ユーザによって記録を指示された記録データを送信するホスト装置による光ディスク記録装置制御処理であって、光ディスク記録装置によって光ディスクから読み出された情報に基づいて、当該光ディスクのデータゾーンにおける記録可能領域を特定する記録可能領域特定処理と、前記記録可能領域特定処理によって特定された記録可能領域から、最内周を含まない領域を使用領域として特定する使用領域特定処理と、前記使用領域特定処理によって特定された使用領域に前記記録データを記録するように、前記光ディスク記録装置に対して指示を行うことを特徴とする。
【００１６】
前記第４の実施態様により、線速度の遅い光ディスクの最内周が記録データの記録に使用されないので、記録データの記録が速く行われる。
【００１７】
また、本発明の第５の実施態様は、ユーザによる指示に応じて光ディスク記録装置にデータの再生指示を行うホスト装置による光ディスク記録装置制御処理であって、前記再生指示の対象となっているデータが分割されて複数の分割領域に記録されている場合、前記分割領域の再生順序を示すデータ連結情報を光ディスク記録装置から受信する連結情報受信処理と、前記連結情報受信処理によって受信されたデータ連結情報によって示される再生順序で前記複数の分割領域を再生するように、前記光ディスク記録装置に対して前記再生指示を行うことを特徴とする。
【００１８】
前記第５の実施態様により、データ連結情報によって示される再生順序によって複数の分割領域を再生する機能を有しない光ディスク記録装置に、データ連結情報によって示される再生順序で複数の分割領域を再生させることができる。
【発明の効果】
【００１９】
本発明の第１の実施態様によると、記録データの記録にかかる総記録時間が短くなるように選定された使用パターンに従って記録データの記録が行われるので、総記録時間が短縮される。
【００２０】
本発明の第２の実施態様によると、各分割領域の特性に基づいて決定された優先度の高い分割領域から順に、記録データの記録に使用される。したがって、例えば、線速度の高い分割領域の優先度を高く設定することにより、記録が速く行われるようにすることができる。
【００２１】
本発明の第３の実施態様によると、光ディスク記録装置が、通知された記録データの容量に基づいて、記録データの使用領域を特定することができる。
【００２２】
本発明の第４の実施態様によると、線速度の遅い光ディスクの最内周は記録データの記録に使用されないので、記録データの記録が速く行われ、記録時間が短縮される。
【００２３】
本発明の第５の実施態様によると、データ連結情報によって示される再生順序によって複数の分割領域を再生する機能を有しない光ディスク記録装置に、データ連結情報によって示される再生順序で複数の分割領域を再生させることができる。
【図面の簡単な説明】
【００２４】
【図１】図１は、本発明の実施形態１に係る光ディスク記録システムの構成を示すブロック図である。
【図２】図２は、同、光ディスク記録再生装置１００の構成を示すブロック図である。
【図３】図３は、同、データ記録領域割り当て処理によって選定された使用パターンの例を説明する説明図である。
【図４】図４は、同、ホスト装置１２０の構成を示すブロック図である。
【図５】図５は、同、光ディスク１０１のデータゾーンの論理アドレス空間を示す説明図である。
【図６】図６は、同、光ディスク記録システムの動作を示すフローチャートである。
【図７】図７は、同、図６の（Ｓ１００４）におけるホスト装置１２０の動作を示すフローチャートである。
【図８】図８は、同、図６の（Ｓ１００４）における光ディスク記録再生装置１００の動作を示すフローチャートである。
【図９】図９は、同、図８の（Ｓ１２０１）における光ディスク記録再生装置１００の動作を示すフローチャートである。
【図１０】図１０は、同、光ディスク１０１のＬ０、Ｌ１、Ｌ２各層の記録可能領域の半径位置と線速度との関係を示すグラフの例である。
【図１１】図１１は、同、図８の（Ｓ１２０７）における光ディスク記録再生装置１００の動作を示すフローチャートである。
【図１２】図１２は、同、図６の（Ｓ１００５）における光ディスク記録システムの動作を示すフローチャートである。
【図１３】図１３は、光ディスクに記録データを記録する従来の方法を説明する説明図である。
【図１４】図１４は、同、記録データを追記する場合にデータ記録領域割り当て処理によって選定された使用パターンの例を説明する説明図である。
【図１５】図１５は、本発明の実施形態２に係る光ディスク記録再生装置２００の構成を示すブロック図である。
【図１６】図１６は、同、ＺＣＬＶ制御方法を採用した場合における光ディスク１０１の分割Ｚｏｎｅを説明する説明図である。
【図１７】図１７は、同、未記録状態の光ディスク１０１に対して記録を行う場合に特定される使用領域及び使用順序の例を説明する説明図である。
【図１８】図１８は、同、光ディスク１０１に対して記録データの追記を行う場合に特定される使用領域及び使用順序の例を説明する説明図である。
【図１９】図１９は、同、光ディスク１０１に対して記録データの追記を行う場合に特定される使用領域及び使用順序の例を説明する説明図である。
【図２０】図２０は、同、図９相当図である。
【図２１】図２１は、本発明の実施形態３に係る図９相当図である。
【図２２】図２２は、同、（Ｓ３２１１）で特定される分割領域の例を説明する説明図である。
【図２３】図２３は、同、未記録状態の光ディスク１０１に対して記録を行う場合に（Ｓ３２１２）で決定される使用順序の例を説明する説明図である。
【図２４】図２４は、同、光ディスク１０１に対して記録データの追記を行う場合に（Ｓ３２１２）で決定される使用順序の例を説明する説明図である。
【図２５】図２５は、本発明の実施形態３の変形例に係る（Ｓ３２１１）で特定される分割領域を説明する説明図である。
【図２６】図２６は、同、データゾーン内の所定の領域Ａを分割領域１，２に分割した状態を説明する説明図である。
【図２７】図２７は、本発明の実施形態４に係るホスト装置４２０を示すブロック図である。
【図２８】図２８は、同、図６の（Ｓ１００４）におけるホスト装置４２０の動作を示すフローチャートである。
【図２９】図２９の（Ａ）は、未記録状態の光ディスク１０１に対して記録を行う場合における使用領域と各分割領域の使用優先度の例を説明する説明図である。図２９の（Ｂ）は、光ディスク１０１に対して記録データの追記を行う場合における使用領域と各分割領域の使用優先度の例を説明する説明図である。
【発明を実施するための形態】
【００２５】
以下、本発明の実施形態について、図面を参照して説明する。なお、以下の各実施形態において、他の実施形態と同様の機能を有する構成要素については同一の符号を付して説明を省略する。
【００２６】
《実施形態１》
本発明の実施形態１に係る光ディスク記録システムは、図１に示すように、光ディスク１０１に対してデータの記録再生を行う光ディスク記録再生装置１００、ホスト装置１２０、ホスト装置１２０によるデータ処理の結果を出力する出力部１４０、及びホスト装置１２０へのユーザによるデータ入力に用いられる入力部１５０を備えている。
【００２７】
＜光ディスク記録再生装置１００の構成＞
光ディスク記録再生装置１００は、図２に示すように、スピンドルモータ１０２、光ピックアップ１０３、サーボ制御部１０４、レーザー制御部１０５、信号処理部１０６、メモリ１０７、システムコントローラ１０８、記録可能領域判別部１０９、データ分割部１１０、記録時間演算部（使用パターン選定部）１１１、アドレス変換部１１２、及びインタフェース１１３を備えている。また、信号処理部１０６、メモリ１０７、システムコントローラ１０８、記録可能領域判別部１０９、データ分割部１１０、記録時間演算部１１１、及びアドレス変換部１１２により、光ピックアップ１０３を間接的に制御する制御装置１１４が構成されている。この制御装置１１４が光ディスク、磁気ディスク、または、不揮発性の半導体メモリー（あらゆる種類のＲＯＭ（リードオンリーメモリー）が含まれる）等の情報記録媒体に記録されたプログラムを実行することにより、光ディスク記録再生装置１００の機能が実現される。なお、制御装置１１４が、情報記録媒体に記録されたプログラムを、ＲＡＭ（ランダムアクセスメモリー）等の揮発性の半導体メモリーに読み込んでから実行するようにしてもよい。
【００２８】
スピンドルモータ１０２は、光ディスク１０１を回転させる。
【００２９】
光ピックアップ１０３は、レーザー光を発光するレーザーダイオード（ＬＤ：Laser Diode）と、光ディスクから反射される反射光を検出する反射光検出フォトディテクタと、上記ＬＤによって出力されたレーザー光自体を受光する前光フォトディテクタ（両フォトディテクタをまとめて受光素子とする）と、前記レーザーダイオードによって発光されたレーザー光が通過する対物レンズとを備えている。光ピックアップ１０３は、反射光検出フォトディテクタによって検出した反射光の強度を示す反射光信号、及び前光フォトディテクタによって受光したレーザー光自体の強度を示すレーザー光信号を出力する。
【００３０】
サーボ制御部１０４は、スピンドルモータ１０２の回転制御を行うとともに、光ピックアップ１０３のトラッキング、及びフォーカシングを制御する。
【００３１】
レーザー制御部１０５は、光ピックアップ１０３のレーザー出力の強さを制御する。
【００３２】
信号処理部１０６は、サーボ制御部１０４から受けた信号を処理することによってトラッキング、フォーカシング、スピンドルモータ回転数の制御のための信号を生成する。生成した信号をサーボ制御部１０４にフィードバックする。また、光ピックアップ１０３によって出力されたレーザー光信号を受け、レーザー制御部１０５へレーザー制御用の信号をフィードバックする。さらに、光ピックアップ１０３によって出力された反射光信号を受け、当該反射光信号に基づく再生信号をシステムコントローラ１０８へ出力する。
【００３３】
メモリ１０７は、システムコントローラ１０８によって保存指示されたデータ、又はシステムコントローラ１０８を経由して各ブロックによって保存指示されたデータを記憶する。
【００３４】
システムコントローラ１０８は、光ディスク記録再生装置１００の各ブロックを制御する。
【００３５】
記録可能領域判別部１０９は、メモリ１０７に記録された光ディスク管理情報をシステムコントローラ１０８経由で受信し、光ディスク１０１のデータゾーンにおける記録可能領域を当該光ディスク管理情報に基づいて特定する。ここで、光ディスク管理情報は、装填された光ディスク１０１に既に記録されたデータが存在するか否か、すなわち光ディスク１０１が既記録であるか未記録であるかや、既に記録されているデータの記録位置（例えば、開始アドレス）、サイズ（容量）、形式等を示すものである。そして、特定した記録可能領域を示す情報（以下、「記録可能領域特定情報」と呼ぶ）の保存指示を、メモリ１０７に対してシステムコントローラ１０８経由で行う。
【００３６】
データ分割部１１０は、記録可能領域判別部１０９によって保存された記録可能領域特定情報をメモリ１０７からシステムコントローラ１０８経由で受信する。そして、受信した記録可能領域特定情報により示される記録可能領域と、光ディスク１０１に対し記録指示のあったデータ（記録データ）の容量とに基づいて、記録可能領域への記録が可能となるように記録データを分割する。
【００３７】
記録時間演算部１１１は、所定の記録可能領域を所定の使用順序で上記記録データの記録に使用する複数種類の使用パターンについて、システムコントローラ１０８経由で受信した光ディスク１０１の記録可能領域における線速度（記録速度）と、記録データの容量と、層間シーク回数（層間移動回数）と、パラメータ調整回数とに基づいて、総記録時間を導出する。そして、導出した総記録時間が最も短い使用パターンを選定する。
【００３８】
アドレス変換部１１２は、記録時間演算部１１１によって選定された使用パターンで使用する各記録層について、記録開始位置を示す物理開始アドレスと記録終了位置を示す物理終了アドレスとを特定し、変換情報としてメモリ１０７に保存する。そして、メモリ１０７に保存した変換情報に基づいて、システムコントローラ１０８経由でホスト装置１２０から受信したアクセス論理アドレスを、光ディスク１０１の物理アドレスに変換する。また、光ディスク１０１の物理アドレスをアクセス論理アドレスに変換する。
【００３９】
インタフェース１１３は、システムコントローラ１０８とホスト装置１２０の通信のために用いられる。
【００４０】
＜光ディスク１０１の構成＞
データ記録の対象となる光ディスク１０１は、図３に示すように、オポジットトラックパス方式の３つの記録層を持つ。つまり、内周から外周に向かって記録が行われる記録層と外周から内周に向かって記録が行われる記録層とが交互に重なっている。各記録層の番号をＬ０、Ｌ１、Ｌ２とする。各記録層はインナーゾーン（Ｉｎｎｅｒ  Ｚｏｎｅ）、データゾーン（Ｄａｔａ  Ｚｏｎｅ）、アウターゾーン（Ｏｕｔｅｒ  Ｚｏｎｅ）に分割されており、ユーザーにより記録されるデータはデータゾーンに割り当てられる。インナーゾーン及びアウターゾーンは、それぞれ、図示しない記録学習用の領域、ディスク管理領域、及び制御情報領域を有している。記録学習用の領域は、光ディスク１０１にデータを記録する前に、データ記録に必要なレーザーパワーや、光ディスク１０１の状態や光ディスク記録再生装置１００の状況に適したライトストラテジ、すなわち記録パルスのパターンを学習するために使用される。ディスク管理領域には、データアクセスに必要な情報や欠陥セクタの情報が記録される。制御情報領域には、光ディスク１０１についての情報が予め記録されており、光ディスク記録再生装置１００の制御に使用される。
【００４１】
＜ホスト装置１２０の構成＞
ホスト装置１２０は、図４に示すように、ユーザインタフェース１２１、システムコントローラ（容量特定部）１２２、メモリ１２３、インタフェース１２４、及び光ディスク記録再生装置制御部１２５を備えている。ホスト装置１２０の機能は、光ディスク、磁気ディスク、または、不揮発性の半導体メモリー（あらゆる種類のＲＯＭ（リードオンリーメモリー）が含まれる）等の情報記録媒体に記録されたプログラムをコンピュータに実行させることにより実現される。詳しくは、ホスト装置１２０の機能は、様々なアプリケーションで利用可能となるようにデバイスドライバによって実現してもよいし、個々のアプリケーションプログラムによって実現してもよい。
【００４２】
ユーザインタフェース１２１は、ホスト装置１２０とユーザとのデータ通信のために用いられる。
【００４３】
システムコントローラ１２２は、ホスト装置１２０の各ブロックを制御する。
【００４４】
メモリ１２３は、システムコントローラ１２２によって保存指示されたデータ、又はシステムコントローラ１２２を経由して各ブロックによって保存指示されたデータを記憶する。
【００４５】
インタフェース１２４は、光ディスク記録再生装置１００とホスト装置１２０とのデータ通信のために用いられる。
【００４６】
光ディスク記録再生装置制御部１２５は、光ディスク記録再生装置１００を制御するものであり、メイン処理部（容量通知部）１２６、及び記録可能領域特定部１２７を備えている。
【００４７】
メイン処理部１２６は、種々の情報処理を行う。
【００４８】
記録可能領域特定部１２７は、受信した光ディスクの管理情報をもとに、光ディスク１０１のデータゾーンにおける記録可能領域を特定する。
【００４９】
＜論理アドレス空間＞
図５は、データゾーンの論理アドレス空間を示す説明図である。ホスト装置１２０によって認識されるアドレス空間の記録位置には、光ディスク１０１の有する記録層の数、及び光ディスク１０１の物理レイアウトに依存しない連続したアドレスが振られている。光ディスク１０１のデータゾーン全体に連続して記録を行う場合、光ディスク１０１はオポジットトラックパス方式であるので、Ｌ０最内周→Ｌ０最外周→Ｌ１最外周→Ｌ１最内周→Ｌ２最内周→Ｌ２最外周の順で論理アドレスが割り当てられる。
【００５０】
＜光ディスク記録システムの動作＞
以下、光ディスク記録システムがＣＡＶ制御方式で記録データを光ディスク１０１に記録する場合の動作について説明する。
【００５１】
光ディスク記録再生装置１００に光ディスク１０１が装填されると、スピンドルモータ１０２が光ディスク１０１を回転させ、光ピックアップ１０３がレーザー光を光ディスク１０１に照射する。そして、サーボ制御部１０４によりトラッキング、フォーカシングが行われ、さらに、スピンアップと呼ばれる動作（以下、「スピンアップ動作」と呼ぶ）によって光ディスク記録再生装置１００が記録再生動作の可能な状態に起動する。光ディスク記録再生装置１００は、スピンアップ動作を開始すると、起動中であることをホスト装置１２０に通知する。このスピンアップ動作において、光ディスク記録再生装置１００は、光ディスク１０１におけるディスク管理領域及び制御情報領域の情報を読み出し、光ディスク管理情報としてメモリ１０７に保存する。また、記録可能領域判別部１０９が、メモリ１０７に記録された光ディスク管理情報を受信し、光ディスク１０１のデータゾーンにおける記録可能領域を当該光ディスク管理情報に基づいて特定し、特定した記録可能領域を示す情報を記録可能領域特定情報としてメモリ１０７に保存する。
【００５２】
この状態で、図６のフローチャートに示す動作が開始される。
【００５３】
（Ｓ１００１）光ディスク記録再生装置１００は、上記スピンアップ動作において読み出された光ディスク１０１の情報、すなわち上記光ディスク管理情報と、光ディスク記録再生装置１００についてのドライブ情報とをホスト装置１２０に送信する。ホスト装置１２０は、これら光ディスク管理情報とドライブ情報とを受信してメモリ１２３により保存する。そして、光ディスク記録再生装置制御部１２５は、この光ディスク管理情報に基づいて、光ディスク１０１に記録されているデータの容量や形式、データの記録位置を示すアドレス、光ディスク記録再生装置１００で実現可能な記録倍速等を特定し、それらの情報のうちで必要な情報をユーザインタフェース１２１を介して出力部１４０に出力する。
【００５４】
（Ｓ１００２）そして、ユーザが入力部１５０に対する入力によってホスト装置１２０に動作指示を行うと、ホスト装置１２０のシステムコントローラ１２２が、当該動作指示に応じた動作指示信号を光ディスク記録再生装置制御部１２５に送信し、光ディスク記録再生装置制御部１２５のメイン処理部１２６が当該動作指示信号を受信する。また、ユーザは、上記動作指示として記録指示を行う場合、何倍速で記録を実施するかを入力部１５０に対する入力によって指定する。ユーザは、（Ｓ１００１）において出力部１４０に出力された実現可能な記録倍速に含まれる記録倍速を指定する。また、記録指示が行われた際、システムコントローラ１２２は、記録を指示されたデータ（記録データ）の容量及びユーザによって指定された記録倍速を特定する。
【００５５】
（Ｓ１００３）次に、メイン処理部１２６が、ユーザによる動作指示が記録指示と再生指示のうちのいずれであるかを動作指示信号に基づいて判別する。ユーザによる動作指示が記録指示である場合には（Ｓ１００４）に進み、再生指示である場合には（Ｓ１００５）に進む。
【００５６】
（Ｓ１００４）光ディスク記録システムがデータ記録処理を行う。
【００５７】
（Ｓ１００５）光ディスク記録システムがデータ再生処理を行う。
【００５８】
＜データ記録処理＞
ここで、（Ｓ１００４）のデータ記録処理について説明する。（Ｓ１００４）においては、まず、図７のフローチャートに示す動作が行われる。
【００５９】
（Ｓ１１０１）まず、ホスト装置１２０において、メイン処理部１２６が、光ディスク管理情報と光ディスク記録再生装置１００についてのドライブ情報とをメモリ１２３から受信し、光ディスク１０１へデータ記録する際に実現可能な記録倍速を記憶する。
【００６０】
（Ｓ１１０２）次に、記録可能領域特定部１２７が光ディスク管理情報に基づいて、未だデータの記録されていない領域を記録可能領域として特定し、メイン処理部１２６が、記録データの記録を開始するアクセス論理アドレスを導出する。
【００６１】
（Ｓ１１０３）次に、メイン処理部１２６が、ユーザによって記録指示された記録データの容量、及びユーザによって指定された記録倍速をシステムコントローラ１２２から受信する。当該記録データの容量及び記録倍速は、ユーザから記録指示を受けたときにシステムコントローラ１２２により特定されたものである。
【００６２】
（Ｓ１１０４）次に、メイン処理部１２６が、光ディスク記録再生装置１００に対し、（Ｓ１１０２）において導出したアクセス論理アドレスと、（Ｓ１１０３）において受信した記録データの容量及び記録倍速とを通知するとともに、データ記録を指示する。
【００６３】
次に、光ディスク記録再生装置１００は、（Ｓ１１０４）の指示をホスト装置１２０から受けると、図８のフローチャートに示す記録処理を開始する。また、光ディスク記録再生装置１００は、記録指示に伴ってホスト装置１２０から送信されるアクセス論理アドレス、記録データの容量、及びユーザにより指定された記録倍速をメモリ１０７に保存する。以下、図８のフローチャートに示す記録処理について説明する。
【００６４】
（Ｓ１２０１）光ディスク記録再生装置１００は、記録データを記録するのに使用する使用領域を特定する。詳しくは、各使用領域について、記録開始位置を示す開始物理アドレスと記録終了位置を示す終了物理アドレスとを特定する。また、使用領域の使用順序を特定する。本実施形態では、１つの記録層に対して複数の使用領域が特定されることはないので、使用領域の使用順序が記録層の使用順序となる。そして、アドレス変換部１１２が、ホスト装置１２０から送信されたアクセス論理アドレス（開始論理アドレス）をメモリ１０７から読み出し、当該アクセス論理アドレスを、１番目に記録を行う使用領域の開始物理アドレスに変換する。（Ｓ１２０１）での詳細な処理については後述する。
【００６５】
（Ｓ１２０２ａ）システムコントローラ１０８が、メモリ１０７より、アドレス変換部１１２によって特定された各使用領域（記録層）の開始物理アドレス及び終了物理アドレスと使用順序とを読み出す。ここで、ｉ＝１と設定する。そして、使用する各記録層において記録学習を実施する。つまり、複数の記録層を記録に使用する場合には、複数の記録層において記録学習を実施する。
【００６６】
（Ｓ１２０２ｂ）光ディスク記録再生装置１００は、ｉ番目に記録を行う使用領域の開始物理アドレスによって示される記録開始位置よりデータ記録を開始する。
【００６７】
（Ｓ１２０３）光ディスク記録再生装置１００において、記録データの記録動作と並行して、システムコントローラ１０８が、ｉ番目の使用領域の終了物理アドレスまで記録が完了したかどうかを確認する。終了物理アドレスまで記録が完了していなければ光ディスク記録再生装置１００は（Ｓ１２０３）の処理を繰り返す。一方、終了物理アドレスまで記録が完了していれば（Ｓ１２０４）に進む。
【００６８】
（Ｓ１２０４）光ディスク記録再生装置１００が記録を中断する。
【００６９】
（Ｓ１２０５）システムコントローラ１０８が、全記録データの記録が完了したか否かを確認する。記録が完了していなければ（Ｓ１２０６）に進み、記録が完了していれば（Ｓ１２０７）に進む。
【００７０】
（Ｓ１２０６）ｉ＝ｉ＋１に設定し、次に記録する使用領域、すなわちｉ番目に記録を行う使用領域の開始物理アドレスへシークし、（Ｓ１２０２ｂ）に戻る。  
【００７１】
（Ｓ１２０７）システムコントローラ１０８は、終了物理アドレスをメモリ１０７に保存し、分割されて記録されたデータの連結処理を行う。ここでの詳細な処理については後述する。
【００７２】
＜データ記録領域割り当て処理＞
ここで、（Ｓ１２０１）における詳細な処理について図９のフローチャートを参照して説明する。
【００７３】
（Ｓ１２１１）アドレス変換部１１２が、記録可能領域特定情報をメモリ１０７から読み出し、Ｌ０、Ｌ１、Ｌ２各層の記録可能領域を特定する。
【００７４】
（Ｓ１２１２）アドレス変換部１１２が、メモリ１０７から記録データの容量と記録倍速を読み出し、読み出した記録倍速に基づいて、Ｌ０、Ｌ１、Ｌ２各層の記録可能領域の半径位置と線速度との関係を示すグラフを導出する。ここで導出されるグラフの例を図１０に示す。当該グラフでは、スピンドルモータの回転数が一定であり、半径位置が内周から外周へ行くにつれて線速度が高くなっている。
【００７５】
次に、記録時間演算部１１１が、所定の記録可能領域を所定の使用順序で上記記録データの記録に使用する使用パターンを複数種類特定する。そして、特定した各使用パターンについて、アドレス変換部１１２によって導出されたグラフに基づいて実記録時間を算出する。
【００７６】
詳しくは、記録時間演算部１１１は、使用する記録層の数が互いに異なる使用パターンを特定する。具体的には、以下（Ａ）、（Ｂ）、（Ｃ）の使用パターンのうち、使用する記録層の全記録可能領域の容量が記録データの容量よりも大きくなる使用パターンを特定する。
（Ａ）Ｌ０、Ｌ１、Ｌ２のうちいずれか１つの層の記録可能領域を使用する使用パターン
（Ｂ）Ｌ０、Ｌ１、Ｌ２のうちいずれか２つの層の記録可能領域を使用する使用パターン
（Ｃ）Ｌ０、Ｌ１、Ｌ２全ての層の記録可能領域を使用する使用パターン
また、以下の条件を満たす使用パターンが特定される。
【００７７】
（ａ）使用する記録可能領域の線速度は、使用しない記録可能領域の線速度以上となっている。したがって、ＣＡＶ制御方式で記録が行われるので、使用する記録可能領域は、記録可能領域の最外周を含み、かつ当該使用パターンで記録データの記録に使用されない記録可能領域より内周側の領域を含まない領域となる。
【００７８】
（ｂ）特定された使用パターンに従って記録を行った場合、記録方向が等しい記録層間の直接の層間移動、すなわちＬ０からＬ２への直接の層間移動が行われない。つまり、行われるすべての層間移動が、層間移動前の記録層に対して走査方向が逆になる記録層への層間移動となる。
【００７９】
また、光ディスク１０１のデータゾーンにデータが記録されていない場合には、使用される各記録層において使用される領域の容量が互いに等しい使用パターンを特定する。一方、光ディスク１０１のデータゾーンに既にデータが記録されている場合には、各記録層で使用する記録可能領域の容量が、（Ｓ１１０２）において記録可能領域特定部１２７によって特定された当該記録層の記録可能領域の容量以下となるように使用パターンを特定する。
【００８０】
（Ｓ１２１３）記録時間演算部１１１は、（Ｓ１２１２）で実記録時間を算出した全ての使用パターンについて、記録中断時間の予測をする。記録中断時間は、シーク時間と、記録に使用するパラメータの調整時間としての記録学習時間とをそれぞれ予測して集計したものである。各使用パターンのシーク時間は、フォーカス位置切り替え時間、半径位置移動速度、当該使用パターンで要する半径位置移動距離及びフォーカス位置切り替え回数に基づいて算出する。上記フォーカス位置切り替え時間と半径位置移動速度とは、予め計測されてメモリ１０７に保存されている。各使用パターンの記録学習時間は、１回の記録学習の実施に要する時間と、当該使用パターンで要する記録学習回数とに基づいて算出する。１回の記録学習の実施に要する時間は、予め計測されてメモリ１０７に保存されている。使用する記録層が２個以上になると、同じ記録層を異なる使用順序で使用する複数種類の使用パターンが存在するが、シーク時間はそれらの使用パターンのうち、半径位置移動距離が最も短くなる順番で記録層を使用する使用パターンについてのみ算出される。また、半径位置移動距離が最も短くなる順番が複数存在するときは、層番号の小さい記録層を先に使用する使用パターンについてのみ算出される。記録学習回数は、使用する記録層の数と同じとする。
【００８１】
（Ｓ１２１４）記録時間演算部１１１は、（Ｓ１２１２）で算出した実記録時間と（Ｓ１２１３）で算出した記録中断時間とを合わせた総記録時間を、（Ｓ１２１２）で実記録時間を導出した全ての使用パターンに対して算出する。
【００８２】
（Ｓ１２１５）記録時間演算部１１１は、（Ｓ１２１４）で算出した総記録時間が最も短くなる使用パターンを選定する。総記録時間が最も短い使用パターンが複数ある場合には、記録中断時間が最も短い使用パターンを選定する。
【００８３】
ここで、当該選定の方法について説明する。記録時間演算部１１１は、まず、１つの記録層を使用する上記使用パターン（Ａ）と、２つの記録層を使用する上記使用パターン（Ｂ）とについて、上記総記録時間のより短い使用パターンを選択する選択動作を行う。そして、使用パターン（Ａ）を選択した場合には、総記録時間の最も短い使用パターンとして当該使用パターン（Ａ）を選定する。一方、使用パターン（Ｂ）を選択した場合には、さらに、使用パターン（Ｂ）と使用パターン（Ｃ）とについて、上記選択動作を行う。そして、当該選択動作によって選択した使用パターンを総記録時間の最も短い使用パターンとして選定する。
【００８４】
なお、記録層数が４以上の数ｍである場合にも、同様に、記録データの記録にｎ個（ｎは自然数）の記録層を使用する第１の使用パターンと、（ｎ＋１）個の記録層を使用する第２の使用パターンとのうち、総記録時間のより短い使用パターンを選択する選択動作によって、使用パターンの選定を行ってもよい。すなわち、ｎを１から順に１つずつ大きくしてｎ＝ｍ−１まで前記選択動作を繰り返す繰り返し動作を開始し、当該繰り返し動作中の全ての選択動作において第２の使用パターンを選択した場合には、ｍ個の記録層を使用する使用パターンを選定する一方、前記繰り返し動作中の所定の選択動作において第１の使用パターンを選択した場合には、第１の使用パターンを初めて選択した選択動作における第１の使用パターンを選定するようにしてもよい。
【００８５】
（Ｓ１２１６）アドレス変換部１１２は、（Ｓ１２１５）で選定された使用パターンで使用する記録可能領域を使用領域として特定する。詳しくは、各使用領域の開始物理アドレス、終了物理アドレスを特定し、アクセス論理アドレスを物理アドレスに変換するために用いる変換情報としてメモリ１０７に保存する。また、（Ｓ１２１５）で選定された使用パターンでの使用領域の使用順序を特定し、メモリ１０７に保存する。そして、アドレス変換部１１２は、メモリ１０７に保存した変換情報に基づいて、ホスト装置１２０によって送信されたアクセス論理アドレスを物理アドレスに変換する。
【００８６】
そして、図８の（Ｓ１２０２）〜（Ｓ１２０６）において、（Ｓ１２１５）で選定した使用パターンに従って記録データの記録が行われる。複数の記録層を使用する使用パターンで記録データの記録が行われる場合には、データ分割部１１０が記録データを分割して各記録層に割り当てる。
【００８７】
また、記録データは、データの記録されていない記録可能領域に対して記録され、既にデータの記録されている領域には記録されない。
【００８８】
＜データ連結処理＞
次に、（Ｓ１２０７）における詳細な処理について、図１１のフローチャートを参照して説明する。
【００８９】
（Ｓ１２２１）光ディスク記録再生装置１００が、記録データの記録に使用した各使用領域の開始物理アドレスと終了物理アドレスとの差に基づいて、各使用領域のデータサイズを導出する。
【００９０】
（Ｓ１２２２）光ディスク記録再生装置１００が、分割して記録したデータを１つのデータトラックとして再生できるように、光ディスク１０１のディスク管理領域に連結情報を記録する。連結情報は、記録データの記録に使用した使用領域及び当該使用領域の使用順序を示すものであり、具体的には、使用領域の開始物理アドレス及びデータサイズを使用順に並べたものである。
【００９１】
例えば、図３に示すように光ディスク１０１の３つの記録層が記録データの記録に使用された場合には、連結情報として、記録層Ｌ０の開始物理アドレス、記録層Ｌ０に記録されるデータのデータサイズ、記録層Ｌ１の開始物理アドレス、記録層Ｌ１に記録されるデータのデータサイズ、記録層Ｌ２の開始物理アドレス、記録層Ｌ２に記録されるデータのデータサイズを順に記録する。また、使用した層が１つの場合には１組の開始物理アドレス及びデータサイズを記録し、使用した層が２つの場合には２組の開始物理アドレス及びデータサイズを記録する。
【００９２】
上記のように光ディスク１０１のディスク管理領域に連結情報が記録されるので、記録された記録データを再生する際、光ディスク記録再生装置１００のアドレス変換部１１２が、光ディスク１０１から連結情報を読み取り、この連結情報に基づいて、ホスト装置１２０から送信されたアクセス論理アドレスを物理アドレスに変換することができる。
【００９３】
データ連結処理が終了すると、アドレス変換部１１２が、ディスク管理領域に記録された連結情報と、ホスト装置１２０から受信したアクセス論理アドレスとを関連付け、指示されたアクセス論理アドレスに対しデータ記録が行われたことを示す信号をホスト装置１２０に送信し、記録処理が完了する。
【００９４】
＜データ再生処理＞
さらに、図６の（Ｓ１００５）のデータ再生処理について説明する。（Ｓ１００５）においては、図１２のフローチャートに示すような処理が行われる。
【００９５】
（Ｓ１３０１）ホスト装置１２０のメイン処理部１２６が、メモリ１２３から光ディスク管理情報を受信し、データゾーンにあるデータトラックの構成を把握する。
【００９６】
（Ｓ１３０２）ホスト装置１２０のメイン処理部１２６が、再生指示されたデータトラックへのアクセス論理アドレスとデータサイズとを光ディスク記録再生装置１００に送信し、光ディスク記録再生装置１００にデータ再生を指示する。
【００９７】
（Ｓ１３０３）光ディスク記録再生装置１００が（Ｓ１３０２）でホスト装置１２０から送信されたアクセス論理アドレスに応じてデータの再生を行い、その後、再生データ及び再生完了を示す信号をホスト装置１２０に送信し、ホスト装置１２０がこれらを受信することにより、データ再生処理が終了する。
【００９８】
図３は、（Ｓ１２０１）のデータ記録領域割り当て処理によって選定された使用パターンの例を示す。同図においては、未記録の光ディスク１０１の３つの記録層において、Ｄａｔａ  Ｚｏｎｅの最外周が記録データの記録に使用され、記録データが３等分されて記録されている。つまり、記録データの記録に使用される各記録層で、互いに等しい容量の領域が記録データの記録に使用されている。この場合、アドレス変換部１１２は、Ｌ０の開始物理アドレス７０３、Ｌ０の終了物理アドレス７０６、Ｌ１の開始物理アドレス７０５、Ｌ１の終了物理アドレス７０２、Ｌ２の開始物理アドレス７０１、及びＬ２の終了物理アドレス７０４を変換情報としてメモリ１０７に保存する。そして、記録層Ｌ０、記録層Ｌ１、記録層Ｌ２の順番で使用され、Ｌ０の開始物理アドレス７０３が全データ記録開始アドレス、Ｌ２の終了物理アドレス７０４が全データ記録終了アドレスとなる。図１３は、光ディスクにデータを記録する従来の方法である。同図においては、光ディスク１０１の内周側から１つの記録層に記録が行われている。詳しくは、記録データがＬ０の最内周から割り当てられ、６０１が全データ記録開始アドレス、６０２が全データ記録終了アドレスとなっている。図３を図１３の従来の方法と比較すると、図３では、記録速度の速い光ディスク１０１のデータゾーンの最外周を含む連続領域が使用され、また、使用する記録層数の異なる複数種類の使用パターンのうち、算出される総記録時間が最も短いパターンが使用されているので、図１３の方法よりも記録時間が短縮される。
【００９９】
図１４は、データゾーンに既にデータが記録されている光ディスク１０１に対して記録データを追記する場合に（Ｓ１２０１）で選定された使用パターンの例を示す。同図の光ディスク１０１には、記録データを追記する前に、図１３の従来のデータ記録方法での記録と、図３の使用パターンでの記録とが既に行われている。そして、この光ディスク１０１の残りの領域、すなわちデータの記録されていない領域が、記録データの追記に割り当てられている。また、光ディスク１０１の３つの記録層において、データゾーンの未記録領域における最外周を含む連続領域が記録データの記録に割り当てられており、記録データが３分割されて記録されている。記録層Ｌ０、記録層Ｌ１、記録層Ｌ２の順番で使用され、Ｌ０の開始物理アドレス８０１が全データ記録開始アドレス、Ｌ２の終了物理アドレス８０２が全データ記録終了アドレスとなっている。
【０１００】
本実施形態によれば、総記録時間が最も短くなる使用パターンに従って記録データの記録が行われるので、総記録時間が短縮される。
【０１０１】
また、記録データが外周側に記録されるので、スピンドルモータの回転数が抑えられ、消費電力が削減されるとともに、ＣＡＶ制御方式又はＺＣＬＶ制御方式で再生する場合に記録データへのアクセス時間が短くなる。
【０１０２】
《実施形態１の変形例》
なお、上記実施形態１では、データ記録の対象となる光ディスク１０１を、オポジットトラックパス方式としたが、パラレルトラックパス方式としてもよい。この場合、上記（Ｓ１２１２）における使用パターンの特定に、上記（ｂ）の条件、すなわち記録方向が等しい記録層間の直接の層間移動が行われないという条件が考慮されないようにすればよい。
【０１０３】
また、上記実施形態１では、（Ｓ１２１２）において、光ディスク記録再生装置１００が、半径位置と線速度の関係を示すグラフを記録倍速に基づいて導出し、当該グラフに基づいて実記録時間を算出していた。しかし、実記録時間の算出方法はこれに限られない。例えば、光ディスク記録再生装置１００が対応可能な記録倍速が１種類であり、上記グラフの導出動作が行われず、あらかじめ記憶されたグラフが実記録時間の導出のために参照されるようにしてもよい。
【０１０４】
また、上記実施形態１では、記録可能領域の最外周を含む領域に記録データが割り当てられていた。すなわち、実記録時間が最も短くなるように記録データが割り当てられていた。しかし、これに限らず、記録可能領域の内周側から順に記録データを割り当てる図１３のような場合に比べて実記録時間が短くなるように割り当てるようにすればよい。
【０１０５】
また、データ記録の開始から終了までに実記録時間以外に要する時間であれば、シーク時間と記録学習時間以外の時間を記録中断時間に含めてもよい。
【０１０６】
また、アクセス論理アドレス、記録データの容量、及び記録倍速がホスト装置１２０から光ディスク記録再生装置１００に送信されるようになっていたが、送信される情報はこれらに限定されない。例えば、光ディスク記録再生装置１００の対応記録倍速が１種類の場合、記録倍速が送信されないようにしてもよい。
【０１０７】
また、上記実施形態１のデータ記録領域割り当て処理及びデータ連結処理は、光ディスクの全面に対してＣＡＶ制御方式で記録を行う場合に限らず、光ディスクの一部の領域に対してＣＡＶ以外の制御方式で記録を行い、残りの領域に対してのみＣＡＶ制御方式で記録を行う場合にも適用できる。
【０１０８】
また、上記実施形態１では、制御装置１１４の機能が複数の処理部によって実現されているが、当該機能を実現するための構成はこれに限定されず、例えば１チップのＬＳＩ（Large Scale Integration）によって実現されてもよい。
【０１０９】
《実施形態２》
本発明の実施形態２に係る光ディスク記録システムは、実施形態１の光ディスク記録再生装置１００に代えて、図１５に示す光ディスク記録再生装置２００を備えている。光ディスク記録再生装置２００は、図１５に示すように、実施形態１の光ディスク記録再生装置１００の構成に加え、領域分割部２０１及び優先度決定部２０２を備えている。また、光ディスク記録再生装置２００は、データ分割部１１０、及び記録時間演算部１１１を備えていない。また、信号処理部１０６、メモリ１０７、システムコントローラ１０８、記録可能領域判別部１０９、アドレス変換部１１２、領域分割部２０１、及び優先度決定部２０２により、光ピックアップ１０３を間接的に制御する制御装置２１４が構成されている。この制御装置２１４が光ディスク、磁気ディスク、または、不揮発性の半導体メモリー（あらゆる種類のＲＯＭ（リードオンリーメモリー）が含まれる）等の情報記録媒体に記録されたプログラムを実行することにより、光ディスク記録再生装置２００の機能が実現される。なお、制御装置２１４が、情報記録媒体に記録されたプログラムを、ＲＡＭ（ランダムアクセスメモリー）等の揮発性の半導体メモリーに読み込んでから実行するようにしてもよい。
【０１１０】
領域分割部２０１は、記録可能領域判別部１０９によって保存された記録可能領域特定情報を、メモリ１０７からシステムコントローラ１０８経由で受信する。そして、受信した記録可能領域特定情報により特定される記録可能領域を半径方向に分割して複数の分割Ｚｏｎｅ（分割領域）を特定する。
【０１１１】
優先度決定部２０２は、領域分割部２０１によって特定された各分割Ｚｏｎｅの優先度を決定する。
【０１１２】
ここで、図１６は、ＺＣＬＶ制御方法を採用した場合における光ディスク１０１の分割Ｚｏｎｅを示している。分割ＺｏｎｅはＺｏｎｅ０からＺｏｎｅ４まで５つあり、Ｚｏｎｅ０は光ディスクのインナーゾーン、Ｚｏｎｅ４はアウターゾーンに割り当てられ、Ｚｏｎｅ１からＺｏｎｅ３はデータゾーンに割り当てられている。各分割Ｚｏｎｅの記録再生は、一定の線速度で行われる。Ｚｏｎｅ０、Ｚｏｎｅ１は低速度で、Ｚｏｎｅ２は中速度で、Ｚｏｎｅ３、Ｚｏｎｅ４は高速度で記録再生される。各分割Ｚｏｎｅの開始アドレスは予めメモリ１０７に保存され、メモリ１０７から開始アドレスを読み出すことによって各分割ゾーンが特定される。図１７、図１８、図１９においても、図１６と同様に、光ディスク１０１の記録領域がＺｏｎｅ０からＺｏｎｅ４に半径方向に分割されている。
【０１１３】
また、本実施形態の光ディスク記録システムは、ＺＣＬＶ制御方式で記録データを光ディスク１０１に記録する場合、上記実施形態１の（Ｓ１２１２）〜（Ｓ１２１６）の処理に代えて、図２０に示す（Ｓ２２１１）、（Ｓ２２１２）の処理を行う。その他の処理については、実施形態１の光ディスク記録システムがＣＡＶ制御方式で記録を行う場合の動作と同様であるので、その詳細な説明を省略する。
【０１１４】
（Ｓ２２１１）領域分割部２０１が、分割した記録データの記録に使用する使用領域を特定する。
【０１１５】
詳しくは、まず、領域分割部２０１が、メモリ１０７から記録データの容量を読み出す。そして、Ｚｏｎｅ３、Ｚｏｎｅ２、Ｚｏｎｅ１の順、すなわち線速度の高い分割Ｚｏｎｅから順に、各分割Ｚｏｎｅ内の記録可能領域を、記録データを記録する使用領域として特定する。当該特定は、特定される使用領域の容量の合計が、メモリ１０７から読み出した記録データの容量分になるように行う。１つの分割Ｚｏｎｅ内では、Ｌ０、Ｌ１、Ｌ２の順で記録可能領域を使用領域として特定する。つまり、使用領域の特定は、Ｚｏｎｅ３のＬ０、Ｚｏｎｅ３のＬ１、Ｚｏｎｅ３のＬ２、Ｚｏｎｅ２のＬ０、Ｚｏｎｅ２のＬ１、Ｚｏｎｅ２のＬ２、Ｚｏｎｅ１のＬ０、Ｚｏｎｅ１のＬ１、Ｚｏｎｅ１のＬ２の順で行われる。
【０１１６】
図１７は、未記録状態の光ディスク１０１に対して記録を行う場合に特定される使用領域の例であり、Ｌ０のＺｏｎｅ３の先頭アドレスから順に使用領域として特定され、Ｌ１のＺｏｎｅ３の途中までの領域が使用領域として特定されている。
【０１１７】
図１８は、図１３の従来の方法での記録と、図１７で特定された使用領域に対する記録とが既に行われた光ディスク１０１に対して追記を行う場合に特定される使用領域の例である。Ｌ１のＺｏｎｅ３の途中からＬ２のＺｏｎｅ３の途中までの領域が使用領域として特定されている。
【０１１８】
図１９は、図１８で特定された使用領域にデータが既に記録されている光ディスク１０１に対して追記を行うときの使用領域の特定例である。Ｌ２のＺｏｎｅ３の途中から最後までの領域と、Ｌ０のＺｏｎｅ２の途中からＬ２のＺｏｎｅ２の途中までの領域が使用領域として特定されている。
【０１１９】
（Ｓ２２１２）優先度決定部２０２が、特定した各使用領域の物理開始アドレスと物理終了アドレスとを特定する。また、Ｌ０の内周→Ｌ０の外周→Ｌ１の外周→Ｌ１の内周→Ｌ２の内周→Ｌ２の外周という順番で記録が進むように、確保した使用領域の優先度、すなわち使用順序を決定する。そして、各使用領域の物理開始アドレス及び物理終了アドレスと、使用領域の使用順序とを、アクセス論理アドレスを物理アドレスに変換するときに用いる変換情報としてメモリ１０７に保存する。
【０１２０】
図１７において、全データ記録開始アドレスは９０２になり、全データ記録終了アドレスは９０１になる。図１８において、全データ記録開始アドレスは１００２になり、全データ記録終了アドレスは１００１になる。図１９において、全データ記録開始アドレスは１１０４になり、全データ記録終了アドレスは１１０３になり、１１０１から１１０２まではシーク処理が行われる。
【０１２１】
本実施形態の光ディスク記録システムの他の構成及び動作は、実施形態１と同じであるので、その詳細な説明を省略する。
【０１２２】
本実施形態によれば、線速度の高い分割Ｚｏｎｅが優先的に記録データの記録に使用されるので、総記録時間が短縮される。
【０１２３】
また、記録データが外周側に記録されるので、スピンドルモータの回転数が抑えられ、消費電力が削減されるとともに、ＣＡＶ制御方式又はＺＣＬＶ制御方式で再生する場合に記録データへのアクセス時間が短くなる。
【０１２４】
また、通常、記録対象の記録層と光ピックアップ１０３との間の記録層が既記録か未記録かに応じて記録状態にばらつきが生じる等、記録対象の記録層が光ピックアップ１０３から遠く離れる程、記録品質が悪くなる傾向にある。本実施形態によれば、１つの分割Ｚｏｎｅ内では、光ピックアップ１０３に近い記録層から優先的に記録データの記録に使用されるので、光ピックアップ１０３から遠い記録層に記録データが低品質で記録される可能性が低くなる。
【０１２５】
《実施形態２の変形例》
なお、上記実施形態２では、データ記録の対象となる光ディスク１０１を、オポジットトラックパス方式としたが、パラレルトラックパス方式としてもよい。この場合、上記（Ｓ２２１２）において、例えば、Ｌ０の内周→Ｌ０の外周→Ｌ１の内周→Ｌ１の外周→Ｌ２の内周→Ｌ２の外周という順番で記録が進むように使用順序を決定する。
【０１２６】
また、上記実施形態２では、記録再生速度の異なる３つの分割Ｚｏｎｅをデータゾーンが有していたが、データゾーンに含まれる分割Ｚｏｎｅの数は、２つ又は４つ以上であってもよい。
【０１２７】
また、上記実施形態２では、光ディスク１０１のデータゾーンにおいて、線速度が外周側に向かって高くなるように分割Ｚｏｎｅが並んでいたが、分割Ｚｏｎｅが他の順序で並んでいる場合にも、線速度の高い分割Ｚｏｎｅから順に使用領域として特定することにより、総記録時間短縮の効果を得ることができる。
【０１２８】
また、上記実施形態２では、上記（Ｓ２２１２）において、使用領域の使用順序がＬ０の内周→Ｌ０の外周→Ｌ１の外周→Ｌ１の内周→Ｌ２の内周→Ｌ２の外周という順序に決定されていたが、データゾーン内を正しく走査できる順序であればこれに限られない。
【０１２９】
また、上記実施形態２では、上記（Ｓ２２１１）において、１つの分割Ｚｏｎｅ内で、Ｌ０、Ｌ１、Ｌ２の順に記録可能領域が使用領域として特定されていたが、特定の順序はこれに限られない。また、１つの分割Ｚｏｎｅ内で全ての記録層の記録可能領域が使用領域として特定されるまでに、別の分割Ｚｏｎｅ内の記録可能領域が使用領域として特定されるようにしてもよい。
【０１３０】
また、上記実施形態２では、制御装置２１４の機能が複数の処理部によって実現されているが、当該機能を実現するための構成はこれに限定されず、例えば１チップのＬＳＩによって実現されてもよい。
【０１３１】
《実施形態３》
本発明の実施形態３に係る光ディスク記録システムでは、（Ｓ１１０４）において、ホスト装置１２０が記録データの容量を光ディスク記録再生装置１００に通知しない。また、本実施形態の光ディスク記録システムは、ＣＡＶ制御方式で記録データを光ディスク１０１に記録する場合、上記実施形態２の（Ｓ１２１１）、（Ｓ２２１１）、（Ｓ２２１２）の処理に代えて、図２１に示す（Ｓ３２１１）〜（Ｓ３２１３）の処理を行う。
【０１３２】
（Ｓ３２１１）領域分割部２０１は、データゾーンを半径方向に分割することによって、２つの分割Ｚｏｎｅを分割領域として特定する。
【０１３３】
図２２は、光ディスク１０１のデータゾーンにおいて特定される分割領域の例を示す。データゾーンは、ＣＡＶ制御方式における線速度がＤａｔａ  Ｚｏｎｅ全体の平均線速度と等しくなる半径位置を分割点として、低優先度Ｚｏｎｅと高優先度Ｚｏｎｅの２つの分割Ｚｏｎｅに分割される。１６０１は、分割点の半径位置である。そして、高優先度ＺｏｎｅのＬ０、Ｌ１、Ｌ２各層における開始アドレスがメモリ１０７に保存される。なお、図２３、図２４においても、図２２と同様に、データゾーンが低優先度Ｚｏｎｅと高優先度Ｚｏｎｅとに分割されている。
【０１３４】
（Ｓ３２１２）優先度決定部２０２が、各分割Ｚｏｎｅの優先度を、外周側の分割Ｚｏｎｅが内周側の分割Ｚｏｎｅよりも優先度が高くなるように決定する。図２２の例では、高優先度Ｚｏｎｅの優先度が低優先度Ｚｏｎｅの優先度よりも高く決定される。つまり、優先度決定部２０２は、線速度の高い分割Ｚｏｎｅの優先度が線速度の遅い分割Ｚｏｎｅの優先度よりも高くなるように優先度を決定する。
【０１３５】
次に、優先度決定部２０２は、記録可能領域特定情報をメモリ１０７から読み出す。さらに、複数の分割Ｚｏｎｅについて、使用順序を決定する。この使用順序は、優先度の高い分割Ｚｏｎｅから順に使用されるように決定される。また、優先度の等しい分割Ｚｏｎｅについては、裏面側の記録層の分割Ｚｏｎｅから順に使用されるように決定される。
【０１３６】
図２２では、高優先度Ｚｏｎｅが、低優先度Ｚｏｎｅよりも先に使用されるように使用順序が決定される。また、同一の分割Ｚｏｎｅ内では、Ｌ０、Ｌ１、Ｌ２の順に使用されるように決定される。つまり、使用順序は、高優先度ＺｏｎｅのＬ０、Ｌ１、Ｌ２、低優先度ＺｏｎｅのＬ０、Ｌ１、Ｌ２の順になる。
【０１３７】
図２３は、未記録状態の光ディスク１０１における分割Ｚｏｎｅの使用順序の例であり、この使用順序では、Ｌ０の高優先度Ｚｏｎｅが１番目、Ｌ１の高優先度Ｚｏｎｅが２番目、Ｌ２の高優先度Ｚｏｎｅが３番目、Ｌ０の低優先度Ｚｏｎｅが４番目、Ｌ１の低優先度Ｚｏｎｅが５番目、Ｌ２の低優先度Ｚｏｎｅが６番目になっている。
【０１３８】
図２４は、図２３の使用領域に記録が行われた光ディスク１０１に対して追記を行う場合における分割Ｚｏｎｅの使用順序の例であり、Ｌ０の高優先度Ｚｏｎｅは記録済みであるため使用できない。この使用順序では、Ｌ１の高優先度Ｚｏｎｅが１番目、Ｌ２の高優先度Ｚｏｎｅが２番目、Ｌ０の低優先度Ｚｏｎｅが３番目、Ｌ１の低優先度Ｚｏｎｅが４番目、Ｌ２の低優先度Ｚｏｎｅが５番目になっている。
【０１３９】
（Ｓ３２１３）アドレス変換部１１２は、（Ｓ３２１２）で使用順序が決定された各分割Ｚｏｎｅに含まれる記録可能領域の開始物理アドレス及び終了物理アドレスを特定する。この後の処理においては、各分割Ｚｏｎｅの記録可能領域の開始物理アドレス及び終了物理アドレス、記録可能領域の使用順序（分割Ｚｏｎｅの使用順序）が、実施形態２における使用領域の開始物理アドレス及び終了物理アドレス、使用領域の使用順序として扱われる。
【０１４０】
また、アドレス変換部１１２は、１番目に使用される記録可能領域の開始物理アドレスを記録開始物理アドレスとして設定する。そして、記録開始物理アドレス、各記録可能領域の開始アドレス及び終了アドレスを、アクセス論理アドレスの物理アドレスへの変換に用いる変換情報として、メモリ１０７に保存する。
【０１４１】
その後、アドレス変換部１１２は、ホスト装置１２０から送信されたアクセス論理アドレス（開始論理アドレス）をメモリ１０７から読み出し、当該アクセス論理アドレスを、１番目に使用される記録可能領域の開始物理アドレス、すなわち記録開始物理アドレスに変換する。
【０１４２】
そして、（Ｓ３２１２）で決定された使用順序によって記録データの記録が行われる。図２３及び図２４の例では、記録データの記録に使用される各記録層で１つの分割Ｚｏｎｅが記録データの記録に使用されている。
【０１４３】
また、（Ｓ１２０５）において、光ディスク記録再生装置１００のメモリ１０７には、記録データの容量が保存されていない。したがって、システムコントローラ１０８は、ホスト装置１２０からのデータ記録の通知を確認することにより、データ記録を終了するか否かを決定する。終了しない場合には（Ｓ１２０６）に進み、終了する場合には（Ｓ１２０７）に進む。
【０１４４】
その他の処理については、実施形態２の光ディスク記録システムがＺＣＬＶ制御方式で記録を行う場合の動作と同様であるので、その詳細な説明を省略する。
【０１４５】
本実施形態の光ディスク記録システムの他の構成及び動作は、実施形態２と同じであるので、その詳細な説明を省略する。
【０１４６】
本実施形態によれば、線速度の高い分割Ｚｏｎｅが優先的に記録データの記録に使用されるので、総記録時間が短縮される。
【０１４７】
また、記録データが光ディスク１０１の外周側に記録されるので、スピンドルモータの回転数が抑えられて消費電力が削減されるとともに、ＣＡＶ制御方式又はＺＣＬＶ制御方式で再生する場合に記録データへのアクセス時間が短くなる。
【０１４８】
また、上記実施形態２と同様に、光ピックアップ１０３から遠い記録層に記録データが再生困難な状態で記録される可能性が低くなる。
【０１４９】
《実施形態３の変形例１》
なお、上記実施形態３では、領域分割部２０１が、線速度がデータゾーン全体の平均線速度と等しくなる半径位置を分割点としてデータゾーンを２分割していたが、分割方法はこれに限られない。
【０１５０】
本変形例では、図２５に示すように、光ディスク１０１のデータゾーンの外周部分を外周側から順に、分割Ｚｏｎｅ１、分割Ｚｏｎｅ２、分割Ｚｏｎｅ３、…に分割する。かかる場合、同図においてカッコ書きの数字で示す順、すなわち記録層Ｌ０の分割Ｚｏｎｅ１、記録層Ｌ１の分割Ｚｏｎｅ１、記録層Ｌ２の分割Ｚｏｎｅ１、記録層Ｌ０の分割Ｚｏｎｅ２、記録層Ｌ１の分割Ｚｏｎｅ２、記録層Ｌ２の分割Ｚｏｎｅ２、記録層Ｌ０の分割Ｚｏｎｅ３、記録層Ｌ１の分割Ｚｏｎｅ３、記録層Ｌ２の分割Ｚｏｎｅ３、…の順で記録が行われる。また、論理アドレスは、図２５の下側の表で示すようになる。
【０１５１】
ここで、図２６に示すように、データゾーン内の所定の領域Ａを同じ面積を有する分割領域１，２に半径方向に分割する場合について考える。なお、図２６は、光ディスク１０１の４分の１の領域を示している。
【０１５２】
ここで、分割領域１の面積をＳ１とし、分割領域２の面積をＳ２、分割領域１の半径方向の幅をｗ１、分割領域２の半径方向の幅をｗ２、分割領域１の外周縁の半径位置（光ディスク１０１の中心からの距離）をｒとする。
【０１５３】
Ｓ１及びＳ２は、以下の式［数１］［数２］で表される。
【０１５４】
【数１】
2010041357.tif 000042
【０１５５】
【数２】
2010041357.tif 000043
【０１５６】
また、上記式［数１］［数２］により、ｗ２は、以下の式［数３］で表される。
【０１５７】
【数３】
2010041357.tif 000044
【０１５８】
ここで、２つの記録層の分割領域１に対して記録データを記録する場合の総記録時間が同一記録層の領域Ａ（分割領域１及び分割領域２）に対して記録データを記録する場合の総記録時間以下となる条件は、以下の式［数４］で表される。ここでｖは、光ピックアップ１０３の半径方向走査速度である。
【０１５９】
【数４】
2010041357.tif 000045
【０１６０】
式［数４］において、ｔｍは、２つの記録層間の移動を行うことにより必要となる時間であり、層間ジャンプ時間を含むものである。
【０１６１】
また、式［数４］に式［数３］を代入することにより以下の式［数５］が導かれる。
【０１６２】
【数５】
2010041357.tif 000046
【０１６３】
本変形例では、領域分割部２０１が、各分割Ｚｏｎｅの幅ｗ１’を、データゾーンの外周側から順に、当該分割Ｚｏｎｅの幅ｗ１’と当該分割Ｚｏｎｅと同じ面積で内周側に隣接する隣接領域の幅ｗ２’とが以下の式［数６］を満たすように設定する。上記式［数４］より、式［数６］におけるｔが、上記ｔｍよりも大きい値であれば、分割による記録時間短縮効果を得ることができる。
【０１６４】
【数６】
2010041357.tif 000047
【０１６５】
例えば、ｖが０．０５７５［mm／ｓ］、データゾーンの最外周位置の半径位置が５８．５[mm]、式[数６]のｔが１［ｓ］である場合、領域分割部２０１は、光ディスク１０１のデータゾーンを以下の表１に示すＺｏｎｅ１〜Ｚｏｎｅ２４に分割する。表１は、各Ｚｏｎｅの幅と内周縁の半径位置を示している。例えば、Ｚｏｎｅ１は、幅１．７７７［mm]のドーナツ状の領域であり、その内周縁のディスク中心からの距離は５６．７２３［mm］である。
【０１６６】
【表１】
2010041357.tif 000048
【０１６７】
Ｚｏｎｅ１の幅は、上記式［数５］より、以下の式[数７]にｖ、ｔ、ｒの値を代入することによって算出できる。
【０１６８】
【数７】
2010041357.tif 000049
【０１６９】
また、ｔが２［ｓ］に設定された場合には、領域分割部２０１は、光ディスク１０１のデータゾーンを以下の表２に示すＺｏｎｅ１〜Ｚｏｎｅ１７に分割する。
【０１７０】
【表２】
2010041357.tif 000050
【０１７１】
また、ｖが０．１１５［mm／ｓ］、データゾーンの最外周位置の半径位置が５８．５[mm]であり、ｔが２［ｓ］に設定された場合には、領域分割部２０１は、光ディスク１０１のデータゾーンを以下の表３に示すＺｏｎｅ１〜Ｚｏｎｅ１３に分割する。
【０１７２】
【表３】
2010041357.tif 000051
【０１７３】
上記表１〜３に示すように、本変形例の分割方法では、分割Ｚｏｎｅの半径方向の幅が、外周側から内周側に向かって徐々に狭くなっている。
【０１７４】
（Ｓ３２１１）における分割領域の特定を本変形例の方法で行うことにより、記録時間短縮効果を確実に得ることができる。
【０１７５】
また、光ディスクの全面に対してＣＡＶ制御方式で記録を行う場合に限らず、光ディスクの一部の領域に対してＣＡＶ以外の制御方式で記録を行い、残りの領域に対してのみＣＡＶ制御方式で記録を行う場合にも、ＣＡＶ制御方式で記録を行う領域について本変形例の方法で分割領域を特定してもよい。
【０１７６】
《実施形態３の変形例２》
なお、上記実施形態３では、優先度決定部２０２が、各分割Ｚｏｎｅの優先度をその分割Ｚｏｎｅの半径位置、すなわちその分割Ｚｏｎｅの線速度に基づいて決定していたが、各分割Ｚｏｎｅにおける記録可能領域の容量に基づいて決定するようにしてもよい。
【０１７７】
また、上記実施形態３では、データゾーンを２つの分割Ｚｏｎｅに分割していたが、３つ以上の分割Ｚｏｎｅに分割するようにしてもよい。
【０１７８】
また、必ずしも外周側の分割Ｚｏｎｅ程優先度が高くなるようにしなくてもよい。例えば、データゾーンの最外周を含まない分割Ｚｏｎｅの優先度を、最外周を含む分割Ｚｏｎｅの優先度よりも高くするようにしてもよい。多くの光ディスクにおいては、最外周を含む分割Ｚｏｎｅが内周側の分割Ｚｏｎｅよりも記録失敗の可能性が高くなっている。一般に、光ディスクの外周側には光ディスクの反りや歪みの影響が現れやすく、さらに、色素の塗布によって光ディスクの記録層が形成される場合、外周側で色素にムラが生じやすいからである。このような光ディスクに対して記録を行う場合には、上記のように最外周を含まない分割Ｚｏｎｅを優先的に使用することにより、記録精度を向上させることができる。また、記録中に回転制御方式が切り替わる場合、その際の切替処理に時間がかかって総記録時間が長くなるという問題があるが、回転制御方式の変化箇所が最外周を含む分割Ｚｏｎｅに含まれる場合には、上記のように最外周を含まない分割Ｚｏｎｅを優先的に使用することにより、記録中に回転制御方式の切替処理を行う必要が生じにくくなる。
【０１７９】
また、線速度及び記録精度の両方を考慮し、データゾーンの最外周及び最内周を含まない分割Ｚｏｎｅの優先度を、最外周を含む分割Ｚｏｎｅ及び最内周を含む分割Ｚｏｎｅの優先度よりも高くするようにしてもよい。
【０１８０】
また、上記実施形態３では、データ記録の対象となる光ディスク１０１を、オポジットトラックパス方式としたが、パラレルトラックパス方式としてもよい。
【０１８１】
また、上記実施形態３では、ＣＡＶ制御方式で記録を行う場合について説明したが、ＣＬＶ制御方式、ＺＣＬＶ制御方式、ＺＣＡＶ制御方式等、他のスピンドルモータ制御方式で記録を行う場合であっても、各分割領域の特性に基づいて各分割領域の優先度を決定するようにしてもよい。
【０１８２】
また、上記実施形態３では、（Ｓ３２１２）において、優先度の等しい分割Ｚｏｎｅについては、Ｌ０、Ｌ１、Ｌ２の順で使用されるように使用順序が決定されたが、使用順序はこれに限られない。例えば、記録データに必要な転送レートの大きさに応じて使用順序を設定してもよい。また、トラック走査方向に基づいて、シーク時間が短くなるように使用順序を設定してもよい。
【０１８３】
《実施形態４》
本発明の実施形態４に係る光ディスク記録システムは、実施形態１のホスト装置１２０に代えて、図２７に示すホスト装置４２０を備えている。ホスト装置４２０は、図２７に示すように、実施形態１のホスト装置１２０の構成に加え、領域分割部４２１、半径位置特定部４２２、優先度決定部４２３、及びデータ分割連結部４２４を備えている。また、実施形態１のメイン処理部１２６に代えて、メイン処理部（連結情報受信部）４２６を備えている。
【０１８４】
領域分割部４２１は、光ディスク１０１のデータゾーンの記録可能領域を、データを記録する使用領域とデータを記録しない不使用領域とに分割する。すなわち、データの記録に用いる使用領域を特定する。
【０１８５】
半径位置特定部４２２は、光ディスク管理情報に基づいて、アクセス論理アドレスに対応する光ディスク１０１における半径位置を特定する。
【０１８６】
優先度決定部４２３は、領域分割部４２１によって特定された使用領域の使用優先度を決定する。
【０１８７】
データ分割連結部４２４は、光ディスク１０１に記録する記録データを分割するとともに、光ディスク１０１から読み出された分割データを連結する。
【０１８８】
また、本実施形態４の光ディスク記録システムは、光ディスク記録再生装置１００に代えて、光ディスク記録再生装置４００を備えている。光ディスク記録再生装置４００は、図２の光ディスク記録再生装置１００と対比すると、データ分割部１１０、及び記録時間演算部１１１を備えておらず、アドレス変換部１１２は、従来と同様に、システムコントローラ１０８経由でホスト装置４２０から受信したアクセス論理アドレスを、図５に示したような対応関係で物理アドレスに変換する。例えば、論理アドレスが０から開始する場合、論理アドレス０をＬ０最内周の物理アドレスに変換する。
【０１８９】
本実施形態のホスト装置４２０は、ユーザによる動作指示が記録指示である場合、図６の（Ｓ１００４）において、図７及び図８の処理に代えて、図２８のフローチャートに示す動作を行う。以下、図２８のフローチャートの動作について説明する。
【０１９０】
（Ｓ４１０１）メイン処理部４２６が、メモリ１２３から光ディスク管理情報を受信し、記録可能領域特定部１２７が、メイン処理部４２６により受信された光ディスク管理情報に基づいて記録可能領域を特定する。
【０１９１】
（Ｓ４１０２）システムコントローラ１２２が、ユーザによって記録指示された記録データの容量を特定し、メイン処理部４２６に送信する。
【０１９２】
（Ｓ４１０３）領域分割部４２１が、メイン処理部４２６による指示に応じて、記録可能領域を、記録データの記録に使用する使用領域と記録データの記録に使用しない不使用領域とに分割する。言い換えると、領域分割部４２１は、記録可能領域から使用領域を特定する。当該分割は、使用領域の容量が記録データの容量とデータ連結情報の容量とを合計した容量となるように行われる。また、使用領域として、半径位置特定部４２２によって半径位置を特定された記録可能領域の最外周部分を含み、かつ記録可能領域の最内周部分を含まない領域が特定される。
【０１９３】
ここで、データ連結情報は、分割して記録されたデータを１つのデータトラックとしてホスト装置４２０が認識するために必要な情報である。本実施形態４では、各分割データの開始アドレス、分割データ容量、分割データの連結順、及び判別コードが、データ連結情報として、記録データの直前の領域に記録される。判別コードは、記録データとデータ連結情報とを識別するためのコードであり、光ディスク１０１に記録されたデータが再生される場合にホスト装置４２０によって参照される。
【０１９４】
（Ｓ４１０４）優先度決定部４２３は、記録に使用する使用領域の使用優先度を決定する。使用優先度は、開始論理アドレスの小さいものほど高くなるように決定される。使用領域についての情報（分割領域の数、各分割領域の開始論理アドレス、各分割領域の終了論理アドレス、使用優先度）はメモリ１２３に保存される。
【０１９５】
図２９は、論理アドレス空間において特定された使用領域と該使用領域を構成する各分割領域の使用優先度とを表している。図２９（Ａ）は、未記録状態の光ディスク１０１に対して記録データを記録する場合の使用領域と、使用領域を構成する各分割領域の使用優先度を示す。使用優先度は（１）、（２）の順になる。図２９（Ｂ）は、既にいくつかのデータが記録済みの光ディスク１０１に対してデータを追記する場合の使用領域と使用領域を構成する各分割領域の使用優先度を示す。使用優先度は（１）、（２）、（３）の順になる。
【０１９６】
（Ｓ４１０５）メイン処理部４２６が、メモリ１２３から使用領域についての情報を読み出し、使用領域が分割されているか否かを確認し、使用領域が分割されている場合には、記録データの分割が必要と判断する。この場合、（Ｓ４１０６）の処理に進む。一方、使用領域が分割されていない場合には、記録データの分割が必要でないと判断する。この場合、（Ｓ４１０７）の処理に進む。  
【０１９７】
（Ｓ４１０６）データ分割連結部４２４が、使用領域を構成する各分割領域の大きさに合わせて記録データを分割する。分割後の各分割データと各分割データについての情報（記録する順番、容量）とがメモリ１２３に保存される。図２９（Ａ）では、使用領域が２つの分割領域に分割されているので、各分割領域の大きさに合わせて記録データを２つに分割する。図２９（Ｂ）では、使用領域が３つの分割領域に分割されているので、各分割領域の大きさに合わせて記録データを３つに分割する。
【０１９８】
（Ｓ４１０７）システムコントローラ１２２は、メイン処理部４２６からデータ記録情報（光ディスク１０１に記録するデータ、光ディスク記録論理アドレス）を受け取り、光ディスク記録再生装置１００に対し、このデータ記録情報を送信するとともにデータ記録の指示を行う。この指示は、（Ｓ４１０６）においてデータ分割がなされている場合、使用領域に含まれる複数の分割領域が、使用優先度の高い分割領域から順に記録に使用されるよう行われる。図２９（Ａ）においては、（１）、（２）の順で使用されるように指示が行われ、図２９（Ｂ）においては、（１）、（２）、（３）の順で使用されるように指示が行われる。
【０１９９】
（Ｓ４１０８）システムコントローラ１２２は、光ディスク記録再生装置４００からデータ記録完了の通知を受け取り、データ連結情報の記録を光ディスク記録再生装置４００に対して指示する。これにより、データ連結情報が使用領域（記録データ）の直前の領域に記録される。図２９にデータ連結情報の記録領域を示す。
【０２００】
また、本実施形態において、ユーザによる動作指示が再生指示である場合であって、再生指示の対象となっているデータが分割されて複数の分割領域に記録されている場合には、図６の（Ｓ１００１）において、光ディスク記録再生装置４００が、実施形態１で説明した動作に加え、前記分割領域の再生順序を示す情報として前記データ連結情報を光ディスク１０１から読み出す。そして、ホスト装置４２０のメイン処理部４２６が、前記データ連結情報を光ディスク記録再生装置４００から受信し、ホスト装置４２０のデータ分割連結部４２４が、メイン処理部４２６により受信されたデータ連結情報に基づいて、分割データを連結順に繋げて１つのデータトラックとする処理を行う。また、図１２の（Ｓ１３０２）では、メイン処理部４２６が、データ連結情報で示される再生順序に従って分割データの再生指示を光ディスク記録再生装置４００に対して行う。
【０２０１】
本実施形態によれば、ＣＡＶ制御方式を採用した場合、記録データが光ディスク１０１の外周側、すなわち線速度の高い領域に記録されるので、記録時間が短縮される。また、記録データの再生にかかる再生時間も短縮される。
【０２０２】
また、ＣＬＶ制御方式を採用した場合、記録データの記録時及び再生時におけるスピンドルモータの回転数が少なくなるため、消費電力が削減されるとともにスピンドルモータの動作音が小さく抑えられる。
【０２０３】
《実施形態４の変形例》
なお、上記実施形態４では、記録可能領域の最外周部分を含み、かつ記録可能領域の最内周部分を含まない領域が使用領域として特定されていた。しかし、使用領域として特定される領域はこれに限らず、記録再生時間又はスピンドルモータの回転数が所望の値になるよう使用領域が特定されればよい。
【０２０４】
また、上記実施形態４では、データ連結情報が、各分割データの開始アドレス、分割データ容量、分割データの連結順、及び判別コードによって構成されていた。しかし、分割して記録された記録データを１つのデータトラックとして再生することがデータ連結情報の参照により可能になるのであれば、データ連結情報のフォーマットはこれに限られない。
【０２０５】
また、上記実施形態４では、使用領域の直前の領域にデータ連結情報を記録していたが、データ連結情報の記録位置はこれに限られない。また、データ連結情報は、分割データと分離したデータに限られず、分割データそのものに組み込まれた情報であってもよい。
【０２０６】
《その他変形例》
上記実施形態１〜３では、（Ｓ１２２２）で記録される連結情報は、使用領域の開始物理アドレス及びデータサイズを使用順に並べたフォーマットであった。しかし、分割して記録された記録データを１つのデータトラックとして再生することが連結情報の参照により可能になるのであれば、連結情報のフォーマットはこれに限られない。
【０２０７】
また、上記実施形態１〜３において、光ディスク記録再生装置１００，２００の構成は、図２、図１５に示した構成に限定されず、各実施形態で説明した光ディスク記録再生装置１００，２００の各部の機能が実現されれば、他の構成であってもよい。
【０２０８】
また、上記実施形態１〜４において、ホスト装置１２０，４２０の構成は、図４、図２７に示した構成に限定されず、各実施形態で説明したホスト装置１２０，４２０の各部の機能が実現されれば、他の構成であってもよい。
【０２０９】
また、上記実施形態１〜４において、光ディスク１０１の構成は、図３、図５等に示した構成に限定されない。例えば、光ディスク１０１の記録層の数は３層に限定されず、２層以上であればよい。  
【産業上の利用可能性】
【０２１０】
本発明に係る光ディスク記録方法、光ディスク記録装置制御方法、光ディスク記録装置、ホスト装置、光ディスク記録制御プログラム、及び光ディスク記録装置制御プログラムは、光ディスクに対して記録データを割り当てる技術等として有用である。
【符号の説明】
【０２１１】
１００      光ディスク記録再生装置（光ディスク記録装置）
１０１      光ディスク
１０３      光ピックアップ
１１１      記録時間演算部（使用パターン選定部） 
１１４      制御装置
１２０      ホスト装置
１２２      システムコントローラ（容量特定部）
１２６      メイン処理部（容量通知部）
１２７      記録可能領域特定部
２００      光ディスク記録再生装置
２０１      領域分割部
２０２      優先度決定部
２１４      光ピックアップ
４００      光ディスク記録再生装置
４２０      ホスト装置
４２１      領域分割部（使用領域特定部）
４２６      メイン処理部（連結情報受信部）
【手続補正２】
【補正対象書類名】特許請求の範囲
【補正対象項目名】全文
【補正方法】変更
【補正の内容】
【特許請求の範囲】
【請求項１】
複数の記録層を有する光ディスクに対し、半径位置に応じた記録速度で記録データを記録する光ディスク記録方法において、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定ステップを備え、
前記使用パターン選定ステップによって選定された使用パターンに従って前記記録データの記録を行うことを特徴とする光ディスク記録方法。
【請求項２】
請求項１の光ディスク記録方法において、
前記使用パターン選定ステップは、
ｎ個（ｎは自然数）の記録層を使用する第１の使用パターン、及び（ｎ＋１）個の記録層を使用する第２の使用パターンのうちのいずれかを、前記所定条件に基づいて選択する選択動作を行うものであり、
前記光ディスクの記録層数ｍが３以上であるとき、ｎを１から順に１つずつ大きくしてｎ＝ｍ−１まで前記選択動作を繰り返す繰り返し動作を開始し、
当該繰り返し動作中の全ての選択動作において第２の使用パターンを選択した場合には、ｍ個の記録層を使用する使用パターンを選定する一方、
前記繰り返し動作中の所定の選択動作において第１の使用パターンを選択した場合には、第１の使用パターンを初めて選択した選択動作における第１の使用パターンを選定することを特徴とする光ディスク記録方法。
【請求項３】
請求項１の光ディスク記録方法において、
光ディスクの一部又は全面に対してＣＡＶ制御方式で記録が行われる場合、
前記使用パターンで使用される記録可能領域は、前記光ディスクのデータゾーンの記録可能領域の最外周を含み、かつ当該使用パターンで記録データの記録に使用されない記録可能領域より内周側の領域を含まないことを特徴とする光ディスク記録方法。
【請求項４】
請求項１〜３のうちのいずれか１項の光ディスク記録方法において、
前記総記録時間は、シーク時間を含むことを特徴とする光ディスク記録方法。
【請求項５】
請求項１〜３のうちのいずれか１項の光ディスク記録方法において、
前記総記録時間は、記録に使用するパラメータの調整時間を含むことを特徴とする光ディスク記録方法。
【請求項６】
請求項１〜５のうちのいずれか１項の光ディスク記録方法において、
前記使用パターン選定ステップによって選定される使用パターンで行われる層間移動は、層間移動前の記録層に対して走査方向が逆になる記録層への層間移動であることを特徴とする光ディスク記録方法。
【請求項７】
請求項１の光ディスク記録方法において、
前記記録データの記録に使用した使用領域と当該使用領域の使用順序とを示す連結情報を前記光ディスクに記録することを特徴とする光ディスク記録方法。
【請求項８】
請求項１の光ディスク記録方法において、
記録データの開始論理アドレスを、前記使用パターン選定ステップによって選定された使用パターンで最初に記録を行う記録位置の開始物理アドレスに変換するアドレス変換ステップをさらに備え、
前記アドレス変換ステップにより得られた開始物理アドレスで示される記録位置で記録データの記録を開始することを特徴とする光ディスク記録方法。
【請求項９】
請求項１の光ディスク記録方法において、
前記光ディスクのデータゾーンにデータが記録されていない場合には、前記記録データの記録に使用される各記録層で、互いに等しい容量の領域が記録データの記録に使用されることを特徴とする光ディスク記録方法。
【請求項１０】
請求項１の光ディスク記録方法において、
光ディスクから読み出された情報に基づいて、光ディスクにおける各記録層の記録可能領域を特定する記録可能領域特定ステップをさらに備え、
前記光ディスクのデータゾーンに既にデータが記録されている場合には、前記記録可能領域特定ステップによって特定された各記録層の記録可能領域の容量に基づいた容量分の記録データを各記録層に記録することを特徴とする光ディスク記録方法。
【請求項１１】
請求項１の光ディスク記録方法において、
前記光ディスクのデータゾーンに既にデータが記録されている場合に、データの記録されていない領域に対して、前記記録データの記録を行うことを特徴とする光ディスク記録方法。
【請求項１２】
少なくとも１つの記録層を有する光ディスクへ記録データを記録する光ディスク記録方法において、
前記光ディスクの各記録層のデータゾーンを半径方向に分割して複数の分割領域を特定する領域分割ステップと、
前記領域分割ステップにより特定された各分割領域の優先度を、各分割領域の特性に基づいて決定する優先度決定ステップとを備え、
前記優先度決定ステップによって決定された優先度の高い分割領域から順に、前記記録データの記録に使用することを特徴とする光ディスク記録方法。
【請求項１３】
請求項１２の光ディスク記録方法において、
前記各分割領域の特性は、各分割領域の線速度であることを特徴とする光ディスク記録方法。
【請求項１４】
請求項１２の光ディスク記録方法において、
光ディスクから読み出された情報に基づいて、光ディスクのデータゾーンにおける記録可能領域を特定する記録可能領域特定ステップをさらに備え、
前記各分割領域の特性は、各分割領域における記録可能領域の容量であることを特徴とする光ディスク記録方法。
【請求項１５】
請求項１２〜１４のうちのいずれか１項の光ディスク記録方法において、
複数の記録層を有する光ディスクに対し、複数の記録層を使用して前記記録データを記録することを特徴とする光ディスク記録方法。
【請求項１６】
請求項１５の光ディスク記録方法において、
複数の記録層に優先度の等しい分割領域が複数存在する場合、前記優先度決定ステップは、この複数の分割領域について、各分割領域が前記複数の記録層のうちのいずれに属しているかに基づいて、使用順序を決定することを特徴とする光ディスク記録方法。
【請求項１７】
請求項１５の光ディスク記録方法において、
複数の記録層に優先度の等しい分割領域が複数存在する場合、前記優先度決定ステップは、この複数の分割領域について、各分割領域の属する記録層におけるトラック走査方向に基づいて、使用順序を決定することを特徴とする光ディスク記録方法。
【請求項１８】
請求項１５の光ディスク記録方法において、
前記優先度決定ステップは、外周側の領域程優先度が高くなるように優先度を決定することを特徴とする光ディスク記録方法。
【請求項１９】
請求項１８の光ディスク記録方法において、
複数の記録層を有する光ディスクの一部又は全面に対してＣＡＶ制御方式で前記記録データを記録する場合に、
前記領域分割ステップは、各分割領域の幅を、データゾーンの外周側から順に、当該分割領域の幅ｗ１と当該分割領域と同じ面積で内周側に隣接する隣接領域の幅ｗ２との差をピックアップの半径方向走査速度で割ることにより求まる時間が、記録層の移動に要する時間よりも長くなるように特定することを特徴とする光ディスク記録方法。
【請求項２０】
請求項１８の光ディスク記録方法において、
複数の記録層を有する光ディスクの一部又は全面に対してＣＡＶ制御方式で前記記録データを記録する場合に、
前記領域分割ステップは、分割領域の半径方向の幅が、外周側から内周側に向かって徐々に狭くなるように分割領域を特定することを特徴とする光ディスク記録方法。
【請求項２１】
請求項１２の光ディスク記録方法において、
前記優先度決定ステップは、光ディスクの各記録層において、データゾーンの最外周及び最内周を含まない分割領域の優先度を、前記最外周を含む分割領域及び最内周を含む分割領域の優先度よりも高くすることを特徴とする光ディスク記録方法。
【請求項２２】
請求項２１の光ディスク記録方法において、
前記最外周を含む分割領域は、前記最外周及び最内周を含まない分割領域よりも記録失敗の可能性が高いことを特徴とする光ディスク記録方法。
【請求項２３】
請求項２１の光ディスク記録方法において、
前記最外周を含む分割領域は、回転制御方式が変化する箇所を含むことを特徴とする光ディスク記録方法。
【請求項２４】
請求項２１の光ディスク記録方法において、
複数の記録層を有する光ディスクに対し、複数の記録層を使用して前記記録データの記録を行うことを特徴とする光ディスク記録方法。
【請求項２５】
請求項２４の光ディスク記録方法において、
前記記録データの記録に使用される各記録層で１つの分割領域が前記記録データの記録に使用されることを特徴とする光ディスク記録方法。
【請求項２６】
請求項１２の光ディスク記録方法において、
前記優先度決定ステップによって決定された各分割領域の優先度に基づいて、記録データの開始論理アドレスを、前記優先度決定ステップによって決定された優先度が最も高い分割領域の開始物理アドレスに変換するアドレス変換ステップをさらに備え、
前記アドレス変換ステップによる変換により得られた開始物理アドレスで示される記録位置で記録データの記録を開始することをを特徴とする光ディスク記録方法。
【請求項２７】
請求項１２の光ディスク記録方法において、
前記光ディスクのデータゾーンに既にデータが記録されている場合に、データの記録されていない領域に対して、前記記録データの記録を行うことを特徴とする光ディスク記録方法。
【請求項２８】
ユーザによって記録を指示された記録データを光ディスク記録装置に送信するホスト装置による光ディスク記録装置制御方法であって、
前記記録データの容量を特定する容量特定ステップと、
前記容量特定ステップによって特定された記録データの容量を前記光ディスク記録装置に通知する容量通知ステップとを備えていることを特徴とする光ディスク記録装置制御方法。
【請求項２９】
光ディスクの一部又は全面に対してＣＡＶ制御方式でデータを記録する光ディスク記録装置に対し、ユーザによって記録を指示された記録データを送信するホスト装置による光ディスク記録装置制御方法であって、
光ディスク記録装置によって光ディスクから読み出された情報に基づいて、当該光ディスクのデータゾーンにおける記録可能領域を特定する記録可能領域特定ステップと、
前記記録可能領域特定ステップによって特定された記録可能領域から、最内周を含まない領域を使用領域として特定する使用領域特定ステップとを備え、
前記使用領域特定ステップによって特定された使用領域に前記記録データを記録するように、前記光ディスク記録装置に対して指示を行うことを特徴とする光ディスク記録装置制御方法。
【請求項３０】
請求項２９の光ディスク記録装置制御方法において、
前記使用領域特定ステップによって特定された使用領域を構成する各分割領域について、使用優先度を決定する優先度決定ステップを備え、
前記優先度決定ステップによって決定された使用優先度の高い分割領域から順に、前記記録データの記録に使用するように、前記光ディスク記録装置に対して指示を行うことを特徴とする光ディスク記録装置制御方法。
【請求項３１】
ユーザによる指示に応じて光ディスク記録装置にデータの再生指示を行うホスト装置による光ディスク記録装置制御方法であって、
前記再生指示の対象となっているデータが分割されて複数の分割領域に記録されている場合、前記分割領域の再生順序を示すデータ連結情報を光ディスク記録装置から受信する連結情報受信ステップを備え、
前記連結情報受信ステップによって受信されたデータ連結情報によって示される再生順序で前記複数の分割領域を再生するように、前記光ディスク記録装置に対して前記再生指示を行うことを特徴とする光ディスク記録装置制御方法。  
【請求項３２】
複数の記録層を有する光ディスクに対し、半径位置に応じた記録速度で記録データを記録する光ディスク記録装置において、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定部を備え、
前記使用パターン選定部によって選定された使用パターンに従って前記記録データの記録を行うことを特徴とする光ディスク記録装置。
【請求項３３】
少なくとも１つの記録層を有する光ディスクへ記録データを記録する光ディスク記録装置において、
前記光ディスクの各記録層のデータゾーンを半径方向に分割して複数の分割領域を特定する領域分割部と、
前記領域分割部により特定された各分割領域の優先度を、各分割領域の特性に基づいて決定する優先度決定部とを備え、
前記優先度決定部によって決定された優先度の高い分割領域から順に、前記記録データの記録に使用することを特徴とする光ディスク記録装置。
【請求項３４】
ユーザによって記録を指示された記録データを光ディスク記録装置に送信するホスト装置であって、
前記記録データの容量を特定する容量特定部と、
前記容量特定部によって特定された記録データの容量を前記光ディスク記録装置に通知する容量通知部とを備えていることを特徴とするホスト装置。
【請求項３５】
光ディスクの一部又は全面に対してＣＡＶ制御方式でデータを記録する光ディスク記録装置に対し、ユーザによって記録を指示された記録データを送信するホスト装置であって、
光ディスク記録装置によって光ディスクから読み出された情報に基づいて、当該光ディスクのデータゾーンにおける記録可能領域を特定する記録可能領域特定部と、
前記記録可能領域特定部によって特定された記録可能領域から、最内周を含まない領域を使用領域として特定する使用領域特定部とを備え、
前記使用領域特定部によって特定された使用領域に前記記録データを記録するように、前記光ディスク記録装置に対して指示を行うことを特徴とするホスト装置。
【請求項３６】
ユーザによる指示に応じて光ディスク記録装置にデータの再生指示を行うホスト装置であって、
前記再生指示の対象となっているデータが分割されて複数の分割領域に記録されている場合、前記分割領域の再生順序を示すデータ連結情報を光ディスク記録装置から受信する連結情報受信部を備え、
前記連結情報受信部によって受信されたデータ連結情報によって示される再生順序で前記複数の分割領域を再生するように、前記光ディスク記録装置に対して前記再生指示を行うことを特徴とするホスト装置。
【請求項３７】
光ディスク記録装置において、複数の記録層を有する光ディスクに対し、半径位置に応じた記録速度で記録データが記録されるように光ピックアップを制御する制御装置に実行させる光ディスク記録制御プログラムであって、
前記光ディスクのデータゾーンに含まれる所定の記録可能領域を所定の使用順序で前記記録データの記録に使用する使用パターンを、使用する記録層数の異なる複数種類の使用パターンの中から、前記記録データの容量、各使用パターンの使用領域における記録速度、及び各使用パターンの層間移動回数を少なくとも含む所定条件に基づいて、総記録時間が短くなるように選定する使用パターン選定ステップと、
前記使用パターン選定ステップによって選定された使用パターンに従って前記記録データの記録が行われるように前記光ピックアップを制御する制御ステップとを前記制御装置に実行させることを特徴とする光ディスク記録制御プログラム。
【請求項３８】
光ディスク記録装置において、少なくとも１つの記録層を有する光ディスクへ記録データが記録されるように光ピックアップを制御する制御装置に実行させる光ディスク記録制御プログラムであって、
前記光ディスクの各記録層のデータゾーンを半径方向に分割して複数の分割領域を特定する領域分割ステップと、
前記領域分割ステップにより特定された各分割領域の優先度を、各分割領域の特性に基づいて決定する優先度決定ステップと、
前記優先度決定ステップによって決定された優先度の高い分割領域から順に、前記記録データの記録に使用されるように前記光ピックアップを制御する制御ステップとを前記制御装置に実行させることを特徴とする光ディスク記録制御プログラム。
【請求項３９】
ユーザによって記録を指示された記録データを光ディスク記録装置に送信するホスト装置に実行させる光ディスク記録装置制御プログラムであって、
前記記録データの容量を特定する容量特定ステップと、
前記容量特定ステップによって特定された記録データの容量を前記光ディスク記録装置に通知する容量通知ステップとを前記ホスト装置に実行させることを特徴とする光ディスク記録装置制御プログラム。
【請求項４０】
光ディスクの一部又は全面に対してＣＡＶ制御方式でデータを記録する光ディスク記録装置に対し、ユーザによって記録を指示された記録データを送信するホスト装置に実行させる光ディスク記録装置制御プログラムであって、
光ディスク記録装置によって光ディスクから読み出された情報に基づいて、当該光ディスクのデータゾーンにおける記録可能領域を特定する記録可能領域特定ステップと、
前記記録可能領域特定部によって特定された記録可能領域から、最内周を含まない領域を使用領域として特定する使用領域特定ステップと、
前記使用領域特定部によって特定された使用領域に前記記録データを記録するように、前記光ディスク記録装置に対して指示を行う記録指示ステップとを前記ホスト装置に実行させることを特徴とする光ディスク記録装置制御プログラム。
【請求項４１】
ユーザによる指示に応じて光ディスク記録装置にデータの再生指示を行うホスト装置に実行させる光ディスク記録装置制御プログラムであって、
前記再生指示の対象となっているデータが分割されて複数の分割領域に記録されている場合、前記分割領域の再生順序を示すデータ連結情報を光ディスク記録装置から受信する連結情報受信ステップと、
前記連結情報受信ステップによって受信されたデータ連結情報によって示される再生順序で前記複数の分割領域を再生するように、前記光ディスク記録装置に対して前記再生指示を行う再生指示ステップとを前記ホスト装置に実行させることを特徴とする光ディスク記録装置制御プログラム。
【手続補正３】
【補正対象書類名】図面
【補正対象項目名】全図
【補正方法】変更
【補正の内容】
【図１】
2010041357.tif 000052
【図２】
2010041357.tif 000053
【図３】
2010041357.tif 000054
【図４】
2010041357.tif 000055
【図５】
2010041357.tif 000056
【図６】
2010041357.tif 000057
【図７】
2010041357.tif 000058
【図８】
2010041357.tif 000059
【図９】
2010041357.tif 000060
【図１０】
2010041357.tif 000061
【図１１】
2010041357.tif 000062
【図１２】
2010041357.tif 000063
【図１３】
2010041357.tif 000064
【図１４】
2010041357.tif 000065
【図１５】
2010041357.tif 000066
【図１６】
2010041357.tif 000067
【図１７】
2010041357.tif 000068
【図１８】
2010041357.tif 000069
【図１９】
2010041357.tif 000070
【図２０】
2010041357.tif 000071
【図２１】
2010041357.tif 000072
【図２２】
2010041357.tif 000073
【図２３】
2010041357.tif 000074
【図２４】
2010041357.tif 000075
【図２５】
2010041357.tif 000076
【図２６】
2010041357.tif 000077
【図２７】
2010041357.tif 000078
【図２８】
2010041357.tif 000079
【図２９】
2010041357.tif 000080
【国際調査報告】
2010041357.tif 000081
2010041357.tif 000082
2010041357.tif 000083
2010041357.tif 000084